(57)【要約】  質量分光分析システムにおいて用いるための試薬イオンおよび生成イオンを発生するシステムおよび方法について記載する。また、極微小濃度の揮発性有機化合物を検出するための本システムおよび方法の応用についても記載する。マイクロ波または高周波ＲＦエネルギ源が、試薬蒸気の粒子をイオン化して、試薬イオンを形成する。試薬イオンは、ドリフト・チェンバのようなチェンバに流入し、流体サンプルと相互作用する。電界が試薬イオンを誘導し、流体サンプルとの相互作用を促進して生成イオンを形成する。次いで、試薬イオンおよび生成イオンは、質量分光計モジュールによる検出のために、電界の影響下においてチェンバから流出する。本システムは、システム・パラメータの値を設定する種々の制御モジュールと、分光分析中におけるイオン種の質量およびピーク強度値の検出ならびにシステム内部における異常の検出のための解析モジュールとを含む。【選択図】      図１
2011511929.tif 000002
【特許請求の範囲】
【請求項１】
サンプル気体を導入するステップと、
試薬蒸気をプラズマ領域に供給するステップと、
1つ又は複数の試薬イオンを形成するために、前記プラズマ領域内において前記試薬蒸気にマイクロ波または高周波ＲＦエネルギを供給するステップと、
1つ又は複数の生成イオンを発生するために、前記1つ又は複数の試薬イオンを前記サンプル気体と相互作用させるステップと、
前記1つ又は複数の生成イオンおよび前記1つ又は複数の試薬イオンを、四重極または飛行時間型質量分光計モジュールに誘導するステップと、
前記質量分光計モジュールによって、前記1つ又は複数の生成イオンおよび前記1つ又は複数の試薬イオンの各々のピーク強度または質量の内少なくとも１つの値を判定するステップと、
を備えている、方法。
【請求項２】
請求項１記載の方法において、前記サンプル気体は、少なくとも極微量の濃度で、1つ又は複数の揮発性有機化合物を含む、方法。
【請求項３】
請求項１記載の方法において、導入するステップは、気体サンプル流入ポートを閉鎖空間に結合するステップを含む、方法。
【請求項４】
請求項１記載の方法において、導入するステップは、気体サンプル流入ポートを非閉鎖空間に位置付けるステップを含む、方法。
【請求項５】
請求項１記載の方法において、導入するステップは、気体サンプル流入ポートをコンテナに結合するステップを含む、方法。
【請求項６】
請求項１記載の方法において、導入するステップは、気体サンプル流入ポートを自動車または航空機の排気管よりも下流に結合するステップを含む、方法。
【請求項７】
請求項１記載の方法において、導入するステップは、気体サンプル流入ポートを食品または飲料製品上にある頭隙空間に結合するステップを含む、方法。
【請求項８】
請求項１記載の方法において、導入するステップは、吐出される呼気を収集するために、気体サンプル流入ポートを人間の口の近傍に位置付けるステップを含む、方法。
【請求項９】
請求項１記載の方法において、導入するステップは、気体サンプル流入ポートを気体または蒸気を放出する固体サンプル素材の近傍に位置付けるステップを含む、方法。
【請求項１０】
請求項１記載の方法において、導入するステップは、気体サンプル流入ポートを気体の供給部に結合するステップを含む、方法。
【請求項１１】
1つ又は複数の試薬イオンを形成するために、試薬蒸気の粒子をマイクロ波またはＲＦエネルギによってイオン化させるためのマイクロ波または高周波ＲＦエネルギ源と、
少なくとも極微量の濃度で1つ又は複数の揮発性有機化合物を含むサンプル気体の分析を促進する供給部と、
流入ポートを含むチェンバであって、1つ又は複数の生成イオンを形成するために、前記流入ポートが、前記サンプル気体を前記チェンバに流入させ、前記マイクロ波または高周波ＲＦエネルギ源からの前記1つ又は複数の試薬イオンと相互作用させ、内部に電磁界を発生する、チェンバと、
前記1つ又は複数の生成イオンおよび前記1つ又は複数の試薬イオンの各々のピーク強度または質量の内少なくとも１つについての値の判定を容易にするために、前記1つ又は複数の生成イオンおよび前記1つ又は複数の試薬イオンを収集するように、前記チェンバの流出オリフィスに応じて配置されている四重極または飛行時間型質量分光計モジュールと、
を備えている、システム。
【請求項１２】
請求項１１記載のシステムにおいて、前記四重極または飛行時間型分光計モジュールは、前記気体サンプルの中にある1つ又は複数の揮発性有機化合物のピーク強度または質量の内少なくとも１つの判定を容易にする、システム。
【請求項１３】
請求項１１記載のシステムにおいて、前記四重極または飛行時間型分光計モジュールは、前記気体サンプルの中にある1つ又は複数の揮発性有機化合物の密度の判定を容易にする、システム。
【請求項１４】
請求項１１記載のシステムにおいて、前記1つ又は複数の揮発性有機化合物は、ダイオキシン系化合物、フラン系化合物、クロロフェノール、ナフタレン、ベンゼン、トルエン、エチルベンゼン、キシレン、非メタン有機化合物、二次有機エアゾール、同重核化合物、化学戦闘兵器用薬品、戦場ガス、燃焼加速剤、体液およびカビ種ならびにミコトキシンの存在の特徴を示す揮発性有機化合物、またはそのあらゆる組み合わせを含む、システム。
【請求項１５】
請求項１１記載のシステムにおいて、前記1つ又は複数の揮発性有機化合物は、人間が引き起こした揮発性有機化合物または生物活動の結果として生ずる揮発性有機化合物を含む、システム。
【請求項１６】
質量分光分析システムであって、
少なくとも極微量の濃度で1つ又は複数の揮発性有機化合物を含むサンプル気体を導入する手段と、
試薬蒸気にマイクロ波または高周波ＲＦエネルギを供給することにより、前記試薬蒸気から1つ又は複数の生成イオンを発生する手段と、
1つ又は複数の生成イオンを形成するために、前記サンプル気体を前記1つ又は複数の試薬イオンと相互作用させる手段と、
前記1つ又は複数の生成イオンおよび前記1つ又は複数の試薬イオンの各々のピーク強度または質量の内少なくとも１つについての値を判定するため、または前記1つ又は複数の揮発性有機化合物を特定するために、前記1つ又は複数の生成イオンおよび前記1つ又は複数の試薬イオンを質量分光計に誘導する手段と、
を備えている、質量分光分析システム。
【請求項１７】
1つ又は複数の試薬イオンを形成するために、試薬蒸気の粒子をマイクロ波またはＲＦエネルギによってイオン化するためのマイクロ波または高周波ＲＦエネルギ源と、
流入ポートを含むチェンバであって、1つ又は複数の生成イオンを形成するために、前記流入ポートが、サンプルを前記チェンバに流入させ、前記マイクロ波または高周波ＲＦエネルギ源からの前記1つ又は複数の試薬イオンと相互作用させ、内部に電磁界を発生する、チェンバと、
前記1つ又は複数の生成イオンおよび前記1つ又は複数の試薬イオンの各々のピーク強度または質量の値の判定を容易にするために、前記1つ又は複数の生成イオンおよび前記1つ又は複数の試薬イオンを収集するように、前記チェンバの流出オリフィスに応じて配置されている四重極質量分光計モジュールと、
を備えている、システム。
【請求項１８】
請求項１７記載のシステムにおいて、前記マイクロ波エネルギ源は、マイクロ波プラズマ発生器を備えている、システム。
【請求項１９】
請求項１７記載のシステムにおいて、前記高周波ＲＦエネルギ源は、容量結合ＲＦプラズマ発生器を備えている、システム。
【請求項２０】
請求項１７記載のシステムにおいて、前記1つ又は複数の試薬イオンは、ハイドロニウム・イオン、酸素イオン、または亜酸化窒素イオンを含む、システム。
【請求項２１】
請求項１７記載のシステムにおいて、前記サンプルは、1つ又は複数の揮発性有機化合物を含む、システム。
【請求項２２】
請求項１７記載のシステムであって、更に、前記1つ又は複数の試薬イオンと前記サンプルとの相互作用を促進するため、および前記チェンバの流出オリフィスを通過して前記1つ又は複数の生成イオンおよび前記1つ又は複数の試薬イオンを誘導するために、前記電磁界を発生するように、前記チェンバに応じて配置されている１組の電極を備えている、システム。
【請求項２３】
請求項２２記載のシステムにおいて、前記１組の電極は、前記チェンバの軸を中心として放射状に配置されており、前記電磁界は、前記1つ又は複数の生成イオンおよび前記1つ又は複数の試薬イオンを実質的に軸方向に誘導する、システム。
【請求項２４】
請求項２２記載のシステムであって、更に、前記１組の電極と連通し、前記システムの動作パラメータに基づいて、前記チェンバ内部にある前記電磁界の値を判定するように動作可能な制御モジュールを備えている、システム。
【請求項２５】
請求項１７記載のシステムであって、更に、前記チェンバに流入するサンプルの量を判定する質量流量コントローラ、毛細管、またはリーク弁を備えている、システム。
【請求項２６】
請求項１７記載のシステムであって、更に、前記マイクロ波または高周波ＲＦエネルギ源と前記チェンバとの間に配置され、試薬イオンを選択的に前記チェンバ内に通す質量フィルタを備えている、システム。
【請求項２７】
請求項２６記載のシステムにおいて、前記質量フィルタは、四重極質量フィルタである、システム。
【請求項２８】
請求項１７記載のシステムであって、更に、前記システムと連通し、前記四重極質量分光計モジュールからのデータを解析するように動作可能な多変量解析モジュールを備えている、システム。
【請求項２９】
請求項１７記載のシステムにおいて、前記マイクロ波エネルギ源は、
マイクロ波発生器と、
共振部と、
前記共振部内に配置され、前記チェンバと連通する管部と、
試薬蒸気供給部、前記チェンバ、または双方の内部におけるマイクロ波エネルギの量を低減するために、前記管部が通過する1つ又は複数のチョークと、
を備えている、システム。
【請求項３０】
請求項１７記載のシステムであって、更に、前記システムと連通し、部分的に前記システムの動作パラメータに基づいて、前記システムの入力パラメータを変化させるように動作可能な制御モジュールを備えている、システム。
【請求項３１】
請求項３０記載のシステムにおいて、前記システムの動作パラメータは、前記サンプルの組成、前記チェンバの圧力、前記1つ又は複数の生成イオンまたは前記1つ又は複数の試薬イオンの前記チェンバを通過する際の速度、前記サンプルまたは試薬イオンが前記チェンバに流入する際の流速、前記1つ又は複数の生成イオンまたは前記1つ又は複数の試薬イオンのエネルギ、試薬イオン、生成イオン、またはそのいずれかの組み合わせの化学組成の内少なくとも１つを含む、システム。
【請求項３２】
請求項３０記載のシステムにおいて、前記制御モジュールは、部分的に前記動作パラメータに基づいて、前記チェンバ内部に前記電磁界を発生する１組の電極の入力パラメータを変化させるように動作可能である、システム。
【請求項３３】
請求項１７記載のシステムであって、更に、前記システムと連通し、前記システムの動作パラメータにおける異常を検出または特定するように動作可能な制御モジュールを備えている、システム。
【請求項３４】
請求項３３記載のシステムにおいて、前記制御モジュールは、少なくとも部分的に前記異常の検出または特定に基づいて、前記動作パラメータの値を変化させるように動作可能である、システム。
【請求項３５】
請求項１７記載のシステムであって、更に、当該システムを監視するために前記システムと連通し、前記監視に応答して前記システムの動作パラメータの値を設定または調節するように動作可能な制御モジュールを備えており、該制御モジュールは、多変量統計解析アルゴリズムに基づく、システム。
【請求項３６】
請求項１７記載のシステムであって、更に、前記チェンバに応じて配置された抽出電極を備えており、該抽出電極は、試薬イオンまたは生成イオンが前記四重極質量分光計モジュールに達する際に通過するオリフィスを定め、前記四重極質量分光計モジュールによる収集のために、前記試薬イオンまたは生成イオンのエネルギ値を指定するように動作可能である、システム。
【請求項３７】
請求項１７記載のシステムであって、更に、前記チェンバに応じて配置され、試薬イオンおよび生成イオンの前記質量分光計モジュールへの通過を促進する抽出オリフィス上に前記試薬イオンおよび生成イオンを集束するレンズ・アセンブリを備えている、システム。
【請求項３８】
陽子移動反応質量分光計または化学イオン反応質量分光計のために1つ又は複数の試薬イオンを発生する方法であって、
試薬蒸気を供給するステップと、
1つ又は複数の試薬イオンを発生するために、前記試薬蒸気にマイクロ波エネルギを供給するステップと、
を備えている、方法。
【請求項３９】
請求項３８記載の方法であって、更に、前記1つ又は複数の試薬イオンを、サンプルの構成物と相互作用させて生成イオンを形成するための領域に誘導するステップを備えている、方法。
【請求項４０】
請求項３８記載の方法において、前記1つ又は複数の試薬イオンを、マイクロ波プラズマによって発生する、方法。
【請求項４１】
請求項３８記載の方法において、前記試薬蒸気は、水蒸気、酸素、または亜酸化窒素を含み、前記1つ又は複数の試薬イオンは、ハイドロニウム・イオン、酸素イオン、または亜酸化窒素イオンを含む、方法。
【請求項４２】
請求項３８記載の方法において、約８００ＭＨｚよりも高い周波数を有する電磁波によって、前記マイクロ波エネルギを供給する、方法。
【請求項４３】
陽子移動反応質量分光計または化学イオン反応質量分光計のために1つ又は複数の試薬イオンを発生する方法であって、
試薬蒸気を供給するステップと、
1つ又は複数の試薬イオンを発生するために、前記試薬蒸気に高周波ＲＦエネルギを供給するステップと、
を備えている、方法。
【請求項４４】
請求項４３記載の方法において、約４００ｋＭｚと約８００ＭＨｚとの間の周波数を有する電磁波によって、前記ＲＦエネルギを供給する、方法。
【請求項４５】
請求項４３記載の方法において、容量結合ＲＦプラズマによって前記1つ又は複数の試薬イオンを発生する、方法。
【請求項４６】
試薬蒸気をプラズマ領域に供給するステップと、
1つ又は複数の試薬イオンを形成するために、前記プラズマ領域において前記試薬蒸気にマイクロ波または高周波ＲＦエネルギを供給するステップと、
1つ又は複数の生成イオンを発生するために、前記1つ又は複数の試薬イオンを気体サンプルと相互作用させるステップと、
前記1つ又は複数の生成イオンおよび前記1つ又は複数の試薬イオンを、四重極質量分光計モジュールの捕収領域に誘導するステップと、
前記質量分光計モジュールによって、前記1つ又は複数の生成イオンおよび前記1つ又は複数の試薬イオンの各々のピーク強度または質量についての値を判定するステップと、
を備えている、方法。
【請求項４７】
質量分光分析システムであって、
試薬蒸気にマイクロ波または高周波ＲＦエネルギを供給することによって、試薬蒸気源から1つ又は複数の試薬イオンを発生する手段と、
1つ又は複数の生成イオンを形成するために、サンプルを前記1つ又は複数の試薬イオンと相互作用させる手段と、
前記1つ又は複数の生成イオンおよび前記1つ又は複数の試薬イオンを捕収領域に誘導するための電磁界を含む手段と、
前記捕収領域と連通し、前記1つ又は複数の生成イオンおよび前記1つ又は複数の試薬イオンの各々のピーク強度または質量についての値を判定する手段と、
を備えている、質量分光分析システム。
【請求項４８】
1つ又は複数の試薬イオンを形成するために、マイクロ波またはＲＦエネルギによって試薬蒸気の粒子をイオン化するマイクロ波または高周波ＲＦエネルギ源と、
流入ポートを含むチェンバであって、1つ又は複数の生成イオンを形成するために、前記流入ポートが、サンプルを前記チェンバに流入させ、前記マイクロ波またはＲＦエネルギ源からの前記1つ又は複数の試薬イオンと相互作用させる、チェンバと、
前記チェンバの流出オリフィスに応じて配置されている質量分光計モジュールであって、
前記1つ又は複数の生成イオンおよび前記1つ又は複数の試薬イオンが進行する際に通過する飛行領域であって、経路長を定める、飛行領域と、
前記飛行領域から前記1つ又は複数の生成イオンおよび前記1つ又は複数の試薬イオンを受ける捕収領域であって、前記1つ又は複数の生成イオンおよび前記1つ又は複数の試薬イオンの各々が前記経路長を横断する間の時間量に基づいて、質量の値を判定する、捕収領域と、
を含む、質量分光計モジュールと、
を備えている、システム。
【請求項４９】
請求項４８記載のシステムにおいて、前記質量分光計モジュールは、更に、
前記1つ又は複数の生成イオンおよび前記1つ又は複数の試薬イオンの前記飛行領域への流動を脈動させるために、前記チェンバの前記流出オリフィスに応じて配置されているイオン・ビーム調節器と、
前記1つ又は複数の生成イオンおよび前記1つ又は複数の試薬イオンが移動する前記経路長の値を増大させるために、前記飛行領域内に配置されている光学システムと、
を備えている、システム。
【請求項５０】
請求項４９記載のシステムにおいて、前記イオン・ビーム調節器は、コントローラから供給される疑似ランダム二進シーケンスによって、前記1つ又は複数の生成イオンおよび前記1つ又は複数の試薬イオンの流動を変調する、システム。
【請求項５１】
請求項５０記載のシステムにおいて、前記1つ又は複数の生成イオンおよび前記1つ又は複数の試薬イオンの各々のピーク強度または質量についての値を判定するために、前記質量分光計モジュールから受け取ったデータに対して、解析モジュールが最尤信号処理アルゴリズムを実行する、システム。
【請求項５２】
請求項４９記載のシステムにおいて、前記1つ又は複数の生成イオンおよび前記1つ又は複数の試薬イオンの各々のピーク強度または質量について値を判定するために、解析モジュールが、前記質量分光計モジュールから受け取ったデータを分解分離する、システム。
【請求項５３】
請求項４９記載のシステムにおいて、前記捕収領域は、パルス計数モードで動作する積層マイクロチャネル陽極検波器または双極検出器を備えている、システム。
【請求項５４】
請求項４９記載のシステムにおいて、前記光学システムはリフレクトロンを備えている、システム。
【請求項５５】
請求項４９記載のシステムであって、更に、前記試薬イオンおよび生成イオンを前記イオン・ビーム調節器上に集束するレンズを備えており、前記イオン・ビーム調節器は、イオン・ビーム・チョッパ、イオン・ビーム・ゲート、イオン・ビーム変調器、またはそのあらゆる組み合わせを備えている、システム。
【請求項５６】
請求項４８記載のシステムであって、更に、前記チェンバおよび前記質量分光計モジュールに応じて配置されている光学システムを備えており、該光学システムは、前記1つ又は複数の生成イオンおよび前記1つ又は複数の試薬イオンの流動をイオン・ビーム調節器に向けて誘導する少なくとも１つの四重極レンズを含む、システム。
【請求項５７】
請求項４８記載のシステムにおいて、前記質量分光計モジュールは、前記飛行領域を貫通する実質的に直線状の軸を定める、システム。
【請求項５８】
請求項５７記載のシステムにおいて、前記実質的に直線状の軸は、前記飛行領域を通過する第２軸に対して実質的に平行である、システム。
【請求項５９】
請求項４８記載のシステムであって、更に、前記1つ又は複数の試薬イオンの部分集合を選択的に前記チェンバに流入させるために、前記マイクロ波エネルギ源および前記チェンバに応じて配置されている質量フィルタを備えている、システム。
【請求項６０】
請求項５９記載のシステムにおいて、前記質量フィルタは四重極質量フィルタである、システム。
【請求項６１】
請求項４８記載のシステムであって、更に、前記1つ又は複数の生成イオンおよび前記1つ又は複数の試薬イオンの各々のピーク強度または質量についての値を含む質量スペクトルを発生するために、前記質量分光計モジュールからデータを受け取る解析モジュールを備えている、システム。
【請求項６２】
請求項４８記載のシステムであって、更に、前記質量分光計モジュールによって発生した質量スペクトルに基づいて、前記サンプルの成分を識別する多変量統計解析モジュールを備えている、システム。
【請求項６３】
請求項４８記載のシステムであって、更に、前記システムと連通し、当該システムの動作パラメータに基づいて、当該システムにおける異常を検出または特定するように動作可能な制御モジュールを備えている、システム。
【請求項６４】
請求項６３記載のシステムにおいて、前記制御モジュールは、少なくとも部分的に前記異常の検出または特定に基づいて、前記動作パラメータの値を変化させるように動作する、システム。
【請求項６５】
請求項４８記載のシステムであって、更に、前記システムと連通し、当該システムの動作パラメータに基づいて、当該システムの入力パラメータの値を変化させるように動作可能な制御モジュールを備えている、システム。
【請求項６６】
請求項４８記載のシステムであって、更に、前記1つ又は複数の試薬イオンと前記サンプルとの相互作用を促進するため、および前記チェンバの流出オリフィスを通過して前記1つ又は複数の生成イオンおよび前記1つ又は複数の試薬イオンを誘導するために、電磁界を発生するように前記チェンバに応じて配置されている１組の電極を備えている、システム。
【請求項６７】
請求項６６記載のシステムであって、更に、前記１組の電極と連通し、前記システムの動作パラメータに基づいて、前記チェンバ内部にある前記電磁界の値を判定するように動作可能な制御モジュールを備えている、システム。
【請求項６８】
請求項６７記載のシステムにおいて、前記システムの動作パラメータは、前記サンプルの組成、前記チェンバの圧力、前記1つ又は複数の生成イオンまたは前記1つ又は複数の試薬イオンの前記チェンバを通過する際の速度、前記サンプルまたは試薬イオンが前記チェンバに流入する際の流速、前記1つ又は複数の生成イオンまたは前記1つ又は複数の試薬イオンのエネルギ、試薬イオン、生成イオン、またはそのいずれかの組み合わせの化学組成の内少なくとも１つを含む、システム。
【請求項６９】
請求項６７記載のシステムにおいて、前記制御モジュールは、部分的に前記動作パラメータに基づいて、前記１組の電極の入力パラメータを変化させるように動作可能である、システム。
【請求項７０】
1つ又は複数の試薬イオンを形成するために、マイクロ波またはＲＦエネルギによって試薬蒸気の粒子をイオン化するマイクロ波または高周波ＲＦエネルギ源と、
流入ポートを含むチェンバであって、1つ又は複数の生成イオンを形成するために、前記流入ポートが、サンプルを前記チェンバに流入させ、前記マイクロ波またはＲＦエネルギ源からの前記1つ又は複数の試薬イオンと相互作用させる、チェンバと、
前記チェンバの流出オリフィスに応じて配置されており、前記1つ又は複数の生成イオンおよび前記1つ又は複数の試薬イオンの各々が前記質量分光計を横断する間の時間量に基づいて、前記1つ又は複数の生成イオンおよび前記1つ又は複数の試薬イオンの各々の質量についての値を含むスペクトルを発生する、飛行時間型質量分光計モジュールと、
を備えている、システム。
【請求項７１】
請求項７０記載のシステムにおいて、前記飛行時間型質量分光計モジュールは、
前記1つ又は複数の生成イオンおよび前記1つ又は複数の試薬イオンが進行する際に通過する飛行領域であって、経路長を定める、飛行領域と、
前記1つ又は複数の生成イオンおよび前記1つ又は複数の試薬イオンの前記飛行領域への流動変調するイオン・ビーム調節器と、
前記1つ又は複数の生成イオンおよび前記1つ又は複数の試薬イオンが移動する前記経路長の値を増大させるために、前記飛行領域内に配置されている光学システムと、
前記飛行領域から前記1つ又は複数の生成イオンおよび前記1つ又は複数の試薬イオンを受ける捕収領域と、
を備えている、システム。
【請求項７２】
飛行時間型質量分光計において信号を処理する方法であって、前記信号は、マイクロ波またはＲＦエネルギを試薬蒸気に供給することによって発生する1つ又は複数の試薬イオンに基づき、更に電磁界において前記1つ又は複数の試薬イオンを流体サンプルと相互作用させることによって発生する1つ又は複数の生成イオンに基づき、
前記1つ又は複数の試薬イオンおよび前記1つ又は複数の生成イオンを含む第１イオン流を確立するステップと、
指定された流動パターンにしたがって、第２イオン流を発生するように前記第１イオン流を変化させるステップと、
検出器において、前記第２イオン流を受け取るステップと、
最尤型統計アルゴリズムにしたがって、前記検出器が伝達したデータから質量スペクトルを判定するステップであって、前記質量スペクトルが、前記1つ又は複数の試薬イオンおよび前記1つ又は複数の生成イオンの質量またはピーク強度を示すデータを含む、ステップと、
を備えている、方法。
【請求項７３】
請求項７２記載の方法において、前記第２イオン流は脈動流である、方法。
【請求項７４】
請求項７３記載の方法において、前記脈動流は、疑似ランダム二進シーケンスにしたがって発生した、指定流動パターンに基づく、方法。
【請求項７５】
試薬蒸気をプラズマ領域に供給するステップと、
1つ又は複数の試薬イオンを形成するために、前記プラズマ領域において前記試薬蒸気にマイクロ波または高周波ＲＦエネルギを供給するステップと、
1つ又は複数の生成イオンを発生するために、前記1つ又は複数の試薬イオンを気体サンプルと相互作用させるステップと、
飛行時間型質量分光計モジュールの飛行領域において軌道に沿って前記1つ又は複数の生成イオンおよび前記1つ又は複数の試薬イオンを誘導するステップと、
前記質量分光計モジュールによって、前記1つ又は複数の生成イオンおよび前記1つ又は複数の試薬イオンの各々のピーク強度または質量についての値を判定するステップと、を備えている、方法。
【請求項７６】
1つ又は複数の試薬イオンおよび1つ又は複数の生成イオンの質量を測定するシステムであって、前記1つ又は複数の試薬イオンは、マイクロ波またはＲＦエネルギを試薬蒸気に供給することによって発生し、前記1つ又は複数の生成イオンは、電磁界において前記1つ又は複数の試薬イオンを流体サンプルと相互作用させることによって発生し、
ドリフト管アセンブリのイオン流出オリフィスに応じて配置され、前記流出オリフィスを通った前記1つ又は複数の試薬イオンおよび前記1つ又は複数の生成イオンを含む第１イオン流を受け取り、更にイオン・ビーム調節器に向けて導かれる第２イオン流を形成する、１組の四重極レンズと、
前記第２イオン流を選択的に飛行時間型質量分光計の飛行領域に通過させるように動作可能な前記イオン・ビーム調節器と、
を備えている、システム。
【請求項７７】
1つ又は複数の試薬イオンを形成するために、マイクロ波または高周波ＲＦエネルギによって試薬蒸気の粒子をイオン化する手段と、
1つ又は複数の生成イオンを形成するために、サンプルを前記1つ又は複数の試薬イオンと相互作用させる電磁界を含む手段と、
前記1つ又は複数の生成イオンおよび前記1つ又は複数の試薬イオンの各々が指定距離を横断する間の時間量に基づいて、前記1つ又は複数の生成イオンおよび前記1つ又は複数の試薬イオンの各々のピーク強度または質量についての値を判定する手段と、
を備えている、システム。
【請求項７８】
1つ又は複数の試薬イオンおよび1つ又は複数の生成イオンの質量を測定するシステムであって、前記1つ又は複数の試薬イオンは、マイクロ波またはＲＦエネルギを試薬蒸気に供給することによって発生し、前記1つ又は複数の生成イオンは、電磁界において前記1つ又は複数の試薬イオンを流体サンプルと相互作用させることによって発生し、
前記1つ又は複数の試薬イオンおよび前記1つ又は複数の生成イオンを含む第１イオン流を確立する手段と、
第２イオン流を生成するために、指定の中断パターンにしたがって、前記第１イオン流を変調する手段と、
検出手段から伝達されたデータから、質量スペクトルを発生する手段であって、前記データが前記第２イオン流に対応する、手段と、
を備えている、システム。
【請求項７９】
1つ又は複数の試薬イオンおよび1つ又は複数の生成イオンの質量を測定するシステムであって、前記1つ又は複数の試薬イオンは、マイクロ波またはＲＦエネルギを試薬蒸気に供給することによって発生し、前記1つ又は複数の生成イオンは、電磁界において前記1つ又は複数の試薬イオンを流体サンプルと相互作用させることによって発生し、
前記1つ又は複数の試薬イオンおよび前記1つ又は複数の生成イオンを含む第１イオン流を受け取り、調節手段に向けて導かれる第２イオン流を発生する光学手段と、
質量分光計に向かう前記第２イオン流を選択的に制御する前記調節手段と、
を備えている、システム。
【発明の詳細な説明】
【技術分野】
【０００１】
本発明は、一般的には、質量分光分析に関し、特に、マイクロ波または高周波無線周波数プラズマを用いて試薬イオンを形成する質量分光分析、およびその応用に関する。
【従来技術】
【０００２】
質量分光分析とは、一般に、粒子の質量値、またはその粒子の質量値の暗示的判断の、分光データを用いた別の物理量の測定による、直接測定のことを言う。質量分光分析は、多くの場合、イオン化した分子または成分の質量電荷比を判定することを伴う。イオン化粒子の電荷が分かれば、その粒子の質量値をある範囲の質量値から判定することができる。
【０００３】
質量分光分析を行うシステムは、質量分光計として知られている。質量分光システムは、一般に、イオン源、質量フィルタまたはセパレータ、および検出器を含む。例えば、分子または成分のサンプルをイオン源における電子衝突によってイオン化して、イオンを生成することができる。例えば、電界または磁界をイオンに加えることによって、異なる質量値を有するイオンを質量分析器によって質量分布即ちスペクトルに分離する。検出器は、これらのイオンを収集し、質量分布を視認および／または記録することができる。スペクトルにおける比較的豊富な質量値は、サンプルの組成、および質量値または分子の素性(identity)またはサンプルの成分を判定するために用いられる。
【０００４】
多くの異なる種類の質量分光計が存在しており、その中にはイオン−分子反応質量分光計（ＩＭＲ−ＭＳ）と呼ばれるカテゴリが含まれる。このカテゴリの中には、様々な技術が存在し、陽子移動反応質量分光分析（ＰＴＲ−ＭＳ）および選択イオン流管質量分光分析（ＳＩＦＴ−ＭＳ：selected ion flow tube mass spectrometry）が含まれる。このようなカテゴリは、一般に、イオンを発生する方法を指す。例えば、陽子移動反応質量分光計は、試薬イオンを発生するイオン源を含む。試薬イオンは、通例、ヒドロニウム・イオン（Ｈ３Ｏ＋）であり、例えば、陽子移動によって、電荷をサンプル成分に移動させる。選択イオン流管質量分光計では、キャリア・ガスが流管に沿って、濾過したイオンを輸送する。オーストリアのインスブルックにあるIonicon Analytik GmbH社が販売する陽子移動反応質量分光計では、中空陰極管がイオン源として用いられ、ＤＣプラズマ放電を水蒸気の流れに加えることによって、試薬イオンを生成する。
【０００５】
一部の質量分光分析システムでは、用いられる質量分析器の種類によって分類される場合がある。例えば、一部の質量分光分析システムは、「タンデム技法」に基づいており、別の分析技術を質量分光分析機器と組み合わせて用いている。一例には、ガス・クロマトグラフィ質量分光分析（ＧＣ−ＭＳ）があり、質量分光分析器による分析の前に、ガス・クロマトグラフィ・カラムを用いてサンプルの成分を分離する。
【０００６】
質量分光分析は、サンプルにおける揮発性有機化合物（ＶＯＣ）の量を判定するために用いることができる。ＶＯＣの測定は重要になってきている。何故なら、ＶＯＣの存在は、たとえ極少量であっても、多くの異なる用途において重要な診断指標としての役割を果たすことができ、更に人間の健康に影響を及ぼす可能性があるからである。例えば、ＶＯＣの濃度が一定レベルよりも上に上昇した場合、呼吸状態のように、有害な健康上の影響が人間に発生する可能性がある。更に、特定のサンプルにおけるＶＯＣの種類および量は、爆発性、有害化学薬品の存在、燃焼生成物、疾病化学薬品(disease agent)、崩壊または汚染、放火促進剤(arson accelerant)、または薬剤の乱用(drugs of abuse)を示すことができる。加えて、ＶＯＣの存在および量を監視することは、生化学または薬品製造プロセスのような、工業プロセスにおいて有用である。
【発明の概要】
【発明が解決しようとする課題】
【０００７】
既存の質量分光分析システムには、様々な欠点が、総合的にもそしてＶＯＣの検出に応用する場合にも内在する。例えば、質量分光分析システムがガス・クロマトグラフを用いていると、サンプルの分析が比較的遅いために、流体サンプルの連続的なリアル・タイムの監視には適していない。更に、以前の質量分光分析システムは、多くの場合、現場分析ではなく、研究室に基盤を置く環境においてサンプルの分析に先だって現場(field)からサンプルを収集することを必要とする。以前の質量分光分析システムは、サンプルにおける低い濃度の成分に対して比較的不感性である。これは、例えば、イオン源が、低濃度構成物に識別可能な質量スペクトルを発生するのに十分な量のイオンを生成できないからである。このようなシステムにおける低濃度構成物に対する質量スペクトルは、ダイナミック・レンジに限界があることのためにノイズと区別することができず、あるいは高濃度成分からのピーク干渉または電子的機器や機械的機器が発生するノイズによって消されてしまうことが多い。質量分光分析システムが適したレベルの感度を有していれば、ＶＯＣの存在の検出を容易に行うことができるが、存在する他の成分からの干渉を受け、したがって、特定の化合物または化学種（species)を断定的に特定することができない虞れがある。
【０００８】
連続的、リアル・タイム、そして現場分析に備えることができる、ロバストな質量分光分析システムが求められている。更に、特定のサンプルにおいて、極少量のＶＯＣを含む、ＶＯＣの存在および識別を信頼性高く判定することができるシステムも求められている。
【課題を解決するための手段】
【０００９】
本発明を具現化するシステムおよび方法は、マイクロ波エネルギまたは高周波ＲＦエネルギを用いて、流体サンプルと相互作用させるために試薬イオン、例えば、ハイドロニウム・イオンを生成する質量分光分析を特徴とする。マイクロ波エネルギの使用によって、他の報告されているイオン化方法（例えば、放射線源を用いる方法）よりも大量にハイドロニウムのような試薬イオンを発生しつつ、ＤＣ放電源に随伴する電極の腐食や不安定性も回避することが分かっている。試薬イオンの量が増大すると、システムの感度が高くなり、極少量であっても、個々のＶＯＣの定量測定および／または識別が容易となる。また、高周波ＲＦエネルギは、マイクロ波エネルギを用いて試薬イオンを発生するときに得られる利点と同様の利点を、質量分光分析において実証している。更に、本発明は、比較的高い圧力、例えば、約１００ミリバール（約１０，０００パスカル）におけるＶＯＣのリアル・タイム測定システムおよび方法に関する。
【００１０】
本発明を具現化するシステムおよび方法は、実施形態によっては、体積パーツ・パー・トリリオン（ｐｐｔＶ）単位でＶＯＣの濃度を検出するために用いることができる。実施形態の一部では、モジュールが、捕獲した質量スペクトルに基づいて、特定のＶＯＣを検出し、これを分析して分類する。本発明の実施形態において用いられるシステムの構成機器は、携帯用質量分光分析および／または現場用途に適している。本明細書において記載する概念は、化学イオン化反応質量分光分析（ＣＩＲＭＳ）技法または陽子移動反応質量分光分析（ＰＴＲ−ＭＳ）技法においても用いることができる。
【００１１】
実施形態の中には、本発明が、システム動作の間に捕獲、検出、または収集したデータを処理する解析または制御モジュールを含むものもある。例えば、システムの中には、質量スペクトルに基づくＶＯＣの検出および識別を容易にするために、多変量解析モジュールを含むものもある。多変量解析モジュールは、質量分光分析システムを監視するため、または当該システムにおける異常を検出するためにも用いることができる。加えて、制御モジュールまたはフィードバック・ループを用いて、例えば、当該システムの種々のプロセス・パラメータを制御することによって、試薬イオンおよびサンプル・イオンの発生、ならびに質量分光分析システムにおけるそれらのスループットを制御することもできる。このようなパラメータは、種々の電界、圧力値、イオンおよび蒸気流量、ならびにイオン・エネルギを含む。また、本発明は、質量分光分析システムを通過する試薬イオン、サンプル成分、および生成イオンの移動に影響を及ぼす種々のシステム構成機器間における結合、接続、またはインターフェースに関する。
【００１２】
本明細書において記載する化学イオン化反応質量分光計および陽子移動反応質量分光計の感度は、種々のシステム・パラメータに基づいて変更することができる。感度は、ドリフト領域における試薬イオン濃度（例えば、ハイドロニウム・イオン濃度）に基づいて変更することができる。
【００１３】
ドリフト領域における電界の中性粒子に対する比率Ｅ／Ｎ（（タウンゼント（Ｔｄ）単位で表す）は、分光計の感度に変化をもたらす(affect)可能性がある。Ｅ／Ｎ比は、ドリフト領域における圧力（例えば、気体密度）および電界強度の関数である。Ｅ／Ｎ比は、イオンがドリフト領域を横断する間の時間に影響を及ぼす。
【００１４】
感度は、イオン・ビームがドリフト領域を抜けた後に質量分光計に達する強度（試薬イオンおよび生成イオンから成る）による変化を受ける可能性がある。これは、ビームの集束およびビームの透過(transmission)特性に影響を及ぼす(impact)、移動領域における移動光学素子（例えば、電極／レンズ絞り幾何学的形状）、電界、および圧力状況（ポンピング(pumping)）の関数である。
【００１５】
感度は、ドリフト領域におけるバルク・サンプル気体と中性試薬種の分圧間の比率に基づいて変化させることができる。監視対象の気体サンプル種に対する陽子移動率定数（ｋ）が、感度に変化をもたらす。ドリフト領域の長さは、感度に変化をもたらす。何故なら、ドリフト領域が長い程、物質がドリフト領域を横断する間の時間が長くなり、したがって、試薬イオンとサンプル種とが反応する機会も多くなるからである。また、感度は、種々の質量分光計に関する感度要因（例えば、イオン透過／質量判別、検出器／前置増幅器利得、および信号対ノイズ比）による変化を受ける可能性もある。
【００１６】
本発明は、一態様では、システムに関する。本システムは、試薬蒸気の粒子をマイクロ波またはＲＦエネルギと相互作用させて1つ又は複数の試薬イオンを形成するためのマイクロ波または高周波ＲＦエネルギ源を含む。また、本システムは、流入ポートを含むチェンバを含む。1つ又は複数の生成イオンを形成するために、流入ポートが、サンプルをチェンバに流入させ、マイクロ波または高周波ＲＦエネルギ源からの1つ又は複数の試薬イオンと相互作用させる。チェンバは、内部に電磁界が発生する。また、本システムは、生成イオンおよび試薬イオンの各々のピーク強度および／または質量についての値の判定を容易にするために、1つ又は複数の生成イオンおよび1つ又は複数の試薬イオンを収集するように、チェンバの流出オリフィスに応じて配置されている四重極質量分光計モジュールを含む。
【００１７】
実施形態の中には、マイクロ波エネルギ源がマイクロ波プラズマ発生器を含むものがある。高周波ＲＦエネルギ源は、容量結合ＲＦプラズマ発生器を含むことができる。実施形態の中には、試薬イオンがハイドロニウム・イオン、酸素イオン、または亜酸化窒素イオンを含む場合がある。サンプルは、1つ又は複数の揮発性有機化合物（ＶＯＣ）を含むことができる。
【００１８】
本システムの実施形態の中には、チェンバ内において電磁界を発生するために、チェンバに応じて配置されている１組の電極を特徴とするものもある。この電磁界は、試薬イオンとサンプルとの間における相互作用を促進し、生成イオンおよび試薬イオンを誘導して、チェンバの流出オリフィスを通過させる。１組の電極は、チェンバの軸を中心として放射状に配置されており、電磁界は生成イオンおよび試薬イオンを実質的に軸方向に誘導する。実施形態の中には、制御モジュールが１組の電極と連通するものもある。この制御モジュールは、システムの動作パラメータに基づいて、チェンバ内部の電磁界（または電磁界勾配）の値を判定するように動作可能である。
【００１９】
本システムは、チェンバに流入するサンプルの量を判定するために、質量流量コントローラ、毛細管、またはリーク弁を含むことができる。本システムは、マイクロ波または高周波ＲＦエネルギ源とチェンバとの間に配置され、試薬イオンを選択的にチェンバ内に通過させる質量フィルタを含むことができる。適した質量フィルタの例には、四重極質量フィルタが含まれる。実施形態の中には、本システムが、当該システムと連通し、四重極質量分光計モジュールからのデータを解析するように動作可能な多変量解析モジュールを含むものもある。
【００２０】
マイクロ波エネルギ源は、マイクロ波発生器と、共振部と、共振部内に配置され、チェンバと連通する管部と、試薬蒸気供給部、チェンバ、または双方の内部におけるマイクロ波エネルギの量を低減するために、管部が通過する1つ又は複数のチョークとを含むことができる。実施形態の中には、本システムが、当該システムと連通し、部分的にシステムの動作パラメータに基づいて、システムの入力パラメータを変化させるように動作可能な制御モジュールを含むものもある。このようなパラメータは、サンプルの組成、チェンバの圧力、生成イオンまたは試薬イオンのチェンバを通過する際の速度、サンプルまたは試薬イオンがチェンバに流入する際の流速、生成イオンまたは試薬イオンのエネルギ、試薬イオン、生成イオン、またはサンプルの化学組成、あるいはそのいずれの組み合わせも含む。実施形態の中には、制御モジュールが、部分的に動作パラメータに基づいて、チェンバ内部に電磁界を発生する１組の電極の入力パラメータを変化させるように動作可能なものもある。
【００２１】
実施形態の中には、本システムが、当該システムと連通し、システムの動作パラメータにおける異常を検出または特定するように動作可能な制御モジュールを備えている場合もある。この制御モジュールは、少なくとも部分的に異常の検出または特定に基づいて、動作パラメータの値を変化させることができる。本システムは、当該システムを監視するためにシステムと連通する制御モジュールを含むことができる。この制御モジュールは、監視に応答してシステムの動作パラメータの値を設定または調節し、制御モジュールは、多変量統計解析アルゴリズムに基づく。実施形態の中には、制御モジュールが多変量統計解析モジュールを含む場合もある。この多変量統計解析モジュールは、プロセスの監視のため、および／または質量分光分析システムにおける異常を検出するために用いることができる。多変量統計解析モジュールは、異常を検出および／または特定するために用いることができる。実施形態の中には、多変量統計解析モジュールが質量分光分析データを解釈するために用いられる場合や（例えば、質量スペクトルにおいて）、そして質量スペクトルにおいて構成物のピークから成分を特定するために用いられる場合もある。多変量統計解析モジュールは、四重極質量分光計または飛行時間型質量分光計と共に用いることができる。実施形態の中には、本システムにおける異常を検出および／または特定するため、そしてデータを解釈および／または解析して例えば、質量分光計における構成物のピークから成分を特定するための双方に、制御モジュールまたは多変量統計解析モジュールが用いられる場合もある。
【００２２】
また、本システムは、チェンバに応じて配置された抽出電極も含むことができる。抽出電極は、試薬イオンまたは生成イオンが四重極質量分光計モジュールに達する際に通過するオリフィスを定める。また、抽出電極は、四重極質量分光計モジュールによる収集のために、試薬イオンまたは生成イオンのエネルギ値を指定するように動作可能である。本システムの実施形態の中には、チェンバに応じて配置され、試薬イオンおよび生成イオンの質量分光計モジュールへの通過を促進する抽出オリフィス上に試薬イオンおよび生成イオンを集束するレンズ・アセンブリを特徴とするものもある。
【００２３】
別の態様では、本発明は、陽子移動反応質量分光計または化学イオン反応質量分光計のために1つ又は複数の試薬イオンを発生する方法に関する。この方法は、試薬蒸気を供給するステップと、1つ又は複数の試薬イオンを発生するために、試薬蒸気にマイクロ波エネルギを供給するステップとを含む。
【００２４】
また、本方法は、1つ又は複数の試薬イオンを、サンプルの構成物と相互作用させて生成イオンを形成するための領域に誘導するステップも含むことができる。試薬イオンは、マイクロ波プラズマによって発生することができる。試薬蒸気は、水蒸気、酸素、または亜酸化窒素を含むことができ、試薬イオンは、ハイドロニウム・イオン、酸素イオン、または亜酸化窒素イオンを含むことができる。実施形態の中には、約８００ＭＨｚよりも高い周波数を有する電磁波または放射線によって、マイクロ波エネルギを供給する場合もある。  
【００２５】
本発明は、別の態様では、陽子移動反応質量分光計または化学イオン反応質量分光計のために1つ又は複数の試薬イオンを発生する方法に関する。この方法は、試薬蒸気を供給するステップと、試薬イオンを発生するために、試薬蒸気に高周波ＲＦエネルギを供給するステップとを含む。
【００２６】
実施形態の中には、約４００ｋＭｚと約８００ＭＨｚとの間の周波数を有する電磁波によって、ＲＦエネルギを供給する場合もある。試薬イオンは、容量結合ＲＦプラズマによって発生することができる。
【００２７】
別の態様では、本発明は、方法に関する。この方法は、試薬蒸気をプラズマ領域に供給するステップと、1つ又は複数の試薬イオンを形成するために、プラズマ領域において試薬蒸気にマイクロ波または高周波ＲＦエネルギを供給するステップとを含む。本方法は、1つ又は複数の生成イオンを発生するために、試薬イオンを気体サンプルと相互作用させるステップを含む。また、本方法は、生成イオンおよび試薬イオンを、四重極質量分光計モジュールの捕収領域に誘導するステップと、質量分光計モジュールによって、生成イオンおよび試薬イオンの各々のピーク強度および／または質量についての値を判定するステップとを含む。
【００２８】
本発明の別の態様は、質量分光分析システムに関する。この質量分光分析システムは、試薬蒸気にマイクロ波または高周波ＲＦエネルギを供給することによって、試薬蒸気源から1つ又は複数の試薬イオンを発生する手段を含む。また、本システムは、1つ又は複数の生成イオンを形成するために、サンプルを試薬イオンと相互作用させる手段を含む。本システムは、電磁界を含み、生成イオンおよび試薬イオンを捕収領域に誘導する手段を含む。また、本システムは、捕収領域と連通し、生成イオンおよび試薬イオンの各々のピーク強度および／または質量についての値を判定する手段を含む。
【００２９】
本発明は、一態様では、システムに関する。このシステムは、1つ又は複数の試薬イオンを形成するために、マイクロ波またはＲＦエネルギによって試薬蒸気の粒子をイオン化するマイクロ波または高周波ＲＦエネルギ源を含む。また、本システムは、流入ポートを含むチェンバを含む。この流入ポートは、1つ又は複数の生成イオンを形成するために、サンプルをチェンバに流入させ、マイクロ波または高周波ＲＦエネルギ源からの試薬イオンと相互作用させる。また、本システムは、チェンバの流出オリフィスに応じて配置されている質量分光計モジュールを含む。この質量分光計モジュールは、生成イオンおよび試薬イオンが進行する際に通過する飛行領域を含み、この飛行領域は、経路長を定める。また、この質量分光計モジュールは、飛行領域から生成イオンおよび試薬イオンを受ける捕収領域を含む。生成イオンおよび試薬イオンの質量についての値は、生成イオンおよび試薬イオンの各々が経路長を横断する間の時間量に基づいて判定される。
【００３０】
実施形態の中には、質量分光計モジュールが、更に、生成イオンおよび試薬イオンの飛行領域への流動を脈動させるために、チェンバの流出オリフィスに応じて配置されているイオン・ビーム調節器も含む場合がある。また、質量分光計モジュールは、生成イオンおよび試薬イオンが移動する経路長の値を増大させるために、飛行領域内に配置されている光学システムも含む。イオン・ビーム調節器は、コントローラから供給される疑似ランダム二進シーケンスによって、生成イオンおよび試薬イオンの流動を変調する。実施形態の中には、生成イオンおよび試薬イオンの各々のピーク強度および／または質量についての値を判定するために、質量分光計モジュールから受け取ったデータに対して、解析モジュールが最尤信号処理アルゴリズムを実行する場合もある。この解析モジュールは、生成イオンおよび試薬イオンの各々のピーク強度および／または質量についての値を判定するために、質量分光計モジュールから受け取ったデータを分解分離する。捕収領域は、パルス計数モードで動作する積層マイクロチャネル陽極検波器または双極検出器を含むことができる。実施形態の中には、光学システムはリフレクトロンを含むものもある。本システムは、試薬イオンおよび生成イオンをイオン・ビーム調節器上に集束するレンズを特徴とすることができ、イオン・ビーム調節器は、イオン・ビーム・チョッパ、イオン・ビーム・ゲート、イオン・ビーム変調器、ブラッドベリー−ニールセン・ゲート、またはそのあらゆる組み合わせを含む。
【００３１】
また、本システムは、実施形態の中には、チェンバおよび質量分光計モジュールに応じて配置されている光学システムを特徴とするものもある。この光学システムは、生成イオンおよび試薬イオンの流動をイオン・ビーム調節器に向けて誘導する少なくとも１つの四重極レンズを含む。実施形態の中には、質量分光計モジュールは、飛行領域を貫通する実質的に直線状の軸を定めるものもある。実質的に直線状の軸は、飛行領域を通過する第２軸に対して実質的に平行とすることができる（例えば、ウソッフ軌道(Uthoff trajectory)）。
【００３２】
実施形態の中には、本システムが、試薬イオンの部分集合を選択的にチェンバに流入させるために、マイクロ波エネルギ源およびチェンバに応じて配置されている質量フィルタを含む場合もある。このフィルタは、四重極質量フィルタとすることができる。本システムは、生成イオンおよび試薬イオンの各々のピーク強度および／または質量についての値を含む質量スペクトルにおけるデータを解釈するために、質量分光計モジュールからデータを受け取る解析モジュールを特徴とすることができる。解析モジュールは、質量分光分析システムにおける異常を検出および／または特定するために用いることができる。解析モジュールは、多変量統計解析に基づくことができる。
【００３３】
実施形態の中には、本システムが、質量分光計モジュールによって発生した質量スペクトルに基づいて、サンプルの成分を識別する多変量統計解析モジュールを特徴とするものもある。本システムは、当該システムと連通し、本システムの動作パラメータに基づいて、システムにおける異常を検出または特定するように動作可能な制御モジュールを含むことができる。制御モジュールは、少なくとも部分的に以上の検出または特定に基づいて、動作パラメータの値を変化させることができる。
【００３４】
本システムは、当該システムと連通し、システムの動作パラメータに基づいて、システムの入力パラメータの値を変化させる制御モジュールを含むことができる。実施形態の中には、本システムが、試薬イオンとサンプルとの相互作用を促進するため、およびチェンバの流出オリフィスを通過して生成イオンおよび試薬イオンを誘導するために、電磁界を発生するようにチェンバに応じて配置されている１組の電極を含むものもある。このようなシステムは、１組の電極と連通し、本システムの動作パラメータに基づいて、チェンバ内部にある電磁界の値を判定するように動作可能な制御モジュールを特徴とする。本システムの動作パラメータは、サンプルの組成、チェンバの圧力、生成イオンまたは試薬イオンのチェンバを通過する際の速度、サンプルまたは試薬イオンがチェンバに流入する際の流速、生成イオンまたは試薬イオンのエネルギ、生成イオン、試薬イオン、またはサンプルの化学組成、あるいはこれらのいずれかの組み合わせを含むことができる。また、制御モジュールは、部分的に動作パラメータに基づいて、１組の電極の入力パラメータを変化させるように動作可能である。
【００３５】
別の態様では、本発明は、システムに関する。このシステムは、1つ又は複数の試薬イオンを形成するために、マイクロ波またはＲＦエネルギによって試薬蒸気の粒子をイオン化するマイクロ波または高周波ＲＦエネルギ源を含む。本システムは、流入ポートを含むチェンバ含み、この流入ポートは、1つ又は複数の生成イオンを形成するために、サンプルをチェンバに流入させ、マイクロ波または高周波ＲＦエネルギ源からの試薬イオンと相互作用させる。また、本システムは、チェンバの流出オリフィスに応じて配置されており、生成イオンおよび試薬イオンの各々が質量分光計を横断する間の時間量に基づいて、生成イオンおよび試薬イオンの質量についての値を含むスペクトルを発生する、飛行時間型質量分光計モジュールも含む。
【００３６】
実施形態の中には、飛行時間型質量分光計モジュールが、生成イオンおよび試薬イオンが進行する際に通過する飛行領域を含むものもある。飛行領域は、経路長を定める。また、飛行時間型質量分光計モジュールは、試薬イオンおよび生成イオンの飛行領域への流動変調するイオン・ビーム調節器と、生成イオンおよび試薬イオンが移動する経路長の値を増大させるために、飛行領域内に配置されている光学システムとを含む。また、分光計モジュールは、飛行領域から生成イオンおよび試薬イオンを受ける捕収領域を含む。
【００３７】
別の態様では、本発明は、飛行時間型質量分光計において信号を処理する方法に関する。前述の信号は、マイクロ波またはＲＦエネルギを試薬蒸気に供給することによって発生する1つ又は複数の試薬イオンに基づき、更に電磁界において試薬イオンを流体サンプルと相互作用させることによって発生する1つ又は複数の生成イオンに基づく。本方法は、試薬イオンおよび生成イオンを含む第１イオン流を確立するステップと、指定された流動パターンにしたがって、第２イオン流を発生するように第１イオン流を変化させるステップとを含む。また、本方法は、検出器において、第２イオン流を受け取るステップと、最尤型統計アルゴリズムにしたがって、検出器が伝達したデータから質量スペクトルを判定するステップとを含む。質量スペクトルは、試薬イオンおよび生成イオンの質量および／またはピーク強度を示すデータを含む。
【００３８】
実施形態の中には、第２イオン流は脈動流である場合もある。脈動流は、疑似ランダム二進シーケンスにしたがって発生した、指定流動パターンに基づくことができる。
【００３９】
別の態様では、本発明は方法に関する。この方法は、試薬蒸気をプラズマ領域に供給するステップと、1つ又は複数の試薬イオンを形成するために、プラズマ領域において試薬蒸気にマイクロ波または高周波ＲＦエネルギを供給するステップとを含む。また、本方法は、1つ又は複数の生成イオンを発生するために、試薬イオンを気体サンプルと相互作用させるステップを含む。本方法は、飛行時間型質量分光計モジュールの飛行領域において軌道に沿って生成イオンおよび試薬イオンを誘導するステップを含む。また、本方法は、質量分光計モジュールによって、生成イオンおよび試薬イオンのピーク強度および／または質量についての値を判定するステップを含む。
【００４０】
本発明の別の態様は、1つ又は複数の試薬イオンおよび1つ又は複数の生成イオンの質量を測定するシステムに関する。試薬イオンは、マイクロ波またはＲＦエネルギを試薬蒸気に供給することによって発生する。生成イオンは、電磁界において1つ又は複数の試薬イオンを流体サンプルと相互作用させることによって発生する。本システムは、ドリフト管アセンブリのイオン流出オリフィスに応じて配置され、試薬イオンおよび生成イオンを含む第１イオン流を受け取る１組の四重極レンズを含む。この１組の四重極レンズは、流出オリフィスを通った生成イオンおよび試薬イオンを受け取り、イオン・ビーム調節器に向けて導かれる第２イオン流を形成する。また、本システムは、第２イオン流を選択的に飛行時間型質量分光計の飛行領域に通過させるように動作可能なイオン・ビーム調節器を含む。
【００４１】
別の態様では、本発明は、システムに関する。このシステムは、1つ又は複数の試薬イオンを形成するために、マイクロ波または高周波ＲＦエネルギによって試薬蒸気の粒子をイオン化する手段を含む。また、本システムは、電磁界を含み、1つ又は複数の生成イオンを形成するために、サンプルを試薬イオンと相互作用させる手段を含む。また、本システムは、生成イオンおよび試薬イオンの各々が指定距離を横断する間の時間量に基づいて、生成イオンおよび試薬イオンの各々のピーク強度および／または質量についての値を判定する手段を含む。
【００４２】
別の態様では、本発明は、1つ又は複数の試薬イオンおよび1つ又は複数の生成イオンの質量を測定するシステムに関する。試薬イオンは、マイクロ波またはＲＦエネルギを試薬蒸気に供給することによって発生する。生成イオンは、電磁界において試薬イオンを流体サンプルと相互作用させることによって発生する。本システムは、試薬イオンおよび生成イオンを含む第１イオン流を確立する手段を含む。また、本システムは、第２イオン流を生成するために、指定の中断パターンにしたがって、第１イオン流を変調する手段を含む。また、本システムは、検出手段から伝達されたデータから、質量スペクトルを発生する手段を含む。このデータは、第２イオン流に対応する。
【００４３】
別の態様では、本発明は、1つ又は複数の試薬イオンおよび1つ又は複数の生成イオンの質量を測定するシステムに関する。試薬イオンは、マイクロ波またはＲＦエネルギを試薬蒸気に供給することによって発生する。生成イオンは、電磁界において試薬イオンを流体サンプルと相互作用させることによって発生する。本システムは、試薬イオンおよび生成イオンを含む第１イオン流を受け取る光学手段を含む。また、この光学手段は、調節手段に向けて導かれる第２イオン流を発生する。また、本システムは、質量分光計に向かう第２イオン流を選択的に制御する調節手段も含む。
【００４４】
別の態様では、本発明は方法に関する。この方法は、サンプル気体を導入するステップを含む。また、本方法は、試薬蒸気をプラズマ領域に供給するステップと、1つ又は複数の試薬イオンを形成するために、プラズマ領域内において試薬蒸気にマイクロ波または高周波ＲＦエネルギを供給するステップとを含む。また、本方法は、1つ又は複数の生成イオンを発生するために、1つ又は複数の試薬イオンをサンプル気体と相互作用させるステップと、生成イオンおよび試薬イオンを、四重極または飛行時間型質量分光計モジュールに誘導するステップとを含む。本方法は、質量分光計モジュールによって、生成イオンおよび試薬イオンのピーク強度または質量の値を判定するステップを含む。
【００４５】
別の態様では、本発明はシステムに関する。このシステムは、1つ又は複数の試薬イオンを形成するために、試薬蒸気の粒子をマイクロ波またはＲＦエネルギによってイオン化させるためのマイクロ波または高周波ＲＦエネルギ源を含む。また、本システムは、少なくとも極微量の濃度で1つ又は複数の揮発性有機化合物を含むサンプル気体の分析を促進する供給部を含む。また、本システムは、流入ポートを含むチェンバを含み、この流入ポートは、1つ又は複数の生成イオンを形成するために、サンプル気体をチェンバに流入させ、マイクロ波または高周波ＲＦエネルギ源からの試薬イオンと相互作用させる。チェンバは、内部に電磁界を発生する。また、本システムは、生成イオンおよび試薬イオンのピーク強度または質量の値の判定を容易にするために、生成イオンおよび試薬イオンを収集するように、チェンバの流出オリフィスに応じて配置されている四重極または飛行時間型質量分光計モジュールを含む。
【００４６】
更に別の態様では、本発明は、少なくとも極微量の濃度で1つ又は複数の揮発性有機化合物を含むサンプル気体を導入する手段を含む質量分光分析システムに関する。本システムは、試薬蒸気にマイクロ波または高周波ＲＦエネルギを供給することにより、試薬蒸気から1つ又は複数の試薬イオンを発生する手段を含む。本システムは、1つ又は複数の生成イオンを形成するために、サンプル気体を試薬イオンと相互作用させる手段を含む。また、本システムは、生成イオンおよび試薬イオンのピーク強度または質量の内少なくとも１つについての値を判定するため、またはサンプル気体における揮発性有機化合物を特定するために、生成イオンおよび試薬イオンを質量分光計モジュールに誘導する手段を含む。
【００４７】
上述の態様に関係する更に別の特徴がある。例えば、サンプル気体は、少なくとも極微量の濃度で1つ又は複数の揮発性有機化合物を含む。極微量の濃度は、約１パート・パー・トリリオンと約１パート・パー・ビリオンとの間の体積とすることができる。極微量の濃度は、約１パート・パー・ビリオンと１パート・パー・ミリオンとの間の体積とすることができる。
【００４８】
前述の方法は、気体サンプル流入ポートを閉鎖空間に結合するステップを含むことができる。また、本方法は、気体サンプル流入ポートを非閉鎖空間に結合するステップを含むことができる。気体サンプル流入ポートは、コンテナに結合することができる。実施形態の中には、気体サンプル流入ポートを自動車または航空機の排気管に結合する場合もある。気体サンプル流入ポートは、例えば、食品または飲料製品の含有物を判定するために、食品または飲料製品上にある頭隙空間に結合することができる。
【００４９】
実施形態によっては、本方法は、吐出される呼気を収集するために、気体サンプル流入ポートを人間の口の近傍に位置付けるステップを含むこともある。本方法は、気体サンプル流入ポートを、気体または蒸気を放出する固体サンプル素材の近傍に位置付けるステップを含む。実施形態によっては、気体サンプル流入ポートを気体の供給部に結合する場合もある。
【００５０】
四重極または飛行時間型分光計モジュールは、気体サンプルの中にある揮発性有機化合物のピーク強度または質量の内少なくとも１つの判定を容易にすることができる。極微量の濃度で含み、測定、検出、および／または特定することができる揮発性有機化合物は、ダイオキシン系化合物、フラン系化合物、クロロフェノール、ナフタレン、ベンゼン、トルエン、エチルベンゼン、キシレン、非メタン有機化合物、二次有機エアゾール、同重核化合物、化学戦闘兵器用薬品、戦場ガス、燃焼加速剤、体液によってまたはカビ種（例えば、ミコトキシン）の作用によって放出されるＶＯＣ種、あるいはそのあらゆる組み合わせを含む。実施形態の中には、揮発性有機化合物は、人間が引き起こした揮発性有機化合物または生物活動の結果として生ずる揮発性有機化合物を含むこともある。実施形態の中には、サンプル気体が無機学または蒸気種（例えば、硫化水素）を含む場合もある。
【００５１】
1つ又は複数の例の詳細について、添付図面および以下の説明において明記する。本発明の更に別の特徴、態様、および利点は、この説明、図面、および特許請求の範囲から明白となろう。
【図面の簡単な説明】
【００５２】
【図１】図１は、本発明を具現化するシステムの構成機器を示す平面図である。
【図２】図２は、質量分光分析システムに合わせた試薬蒸気供給アセンブリの断面図である。
【図３】図３は、試薬イオンの発生方法のフロー・チャートである。
【図４】図４は、本発明を具現化する質量分光分析方法を示すフロー・チャートである。
【図５】図５は、本発明を具現化する四重極質量分光分析システムの断面図である。
【図６】図６は、図５に示したドリフト・チェンバ・アセンブリの拡大図である。
【図７】図７は、本発明を具現化する飛行時間型質量分光計モジュールの平面図である。
【発明を実施するための形態】
【００５３】
図１は、本発明を具現化するシステム１００の構成機器を示す平面図である。システム１００は、試薬蒸気供給部１０４と、プラズマ発生器１０８とを含む。マイクロ波／ＲＦプラズマ発生器１０８は、マイクロ波エネルギ（マイクロ波プラズマ）または高周波ＲＦエネルギ（ＲＦプラズマ）を用いてプラズマを発生することができる。ＲＦエネルギは、容量結合高周波ＲＦエネルギ源（図示せず）によって供給することができる。試薬蒸気供給部１０４からの蒸気（図示せず）は、プラズマ領域１１２においてプラズマと相互作用して、所望のまたは特定の試薬イオンを形成する。試薬イオンは、システム１００の個々の用途に応じて、1つ又は複数の多数の異なる化学種である可能性がある。実施形態によっては、プラズマ領域１１２およびマイクロ波／ＲＦプラズマ発生器１０８が同じアセンブリ（図示せず）の部分を形成し、アセンブリ内部で試薬蒸気がプラズマと相互作用するようにしたものもある。実施形態によっては、プラズマ領域１１２はガラス管内部に配置する場合もある。
【００５４】
プラズマ領域１１２は、フランジ１１６内部に装着されている、電気的に分離されたオリフィス板電極１２０と流体連通する。絶縁体（図示せず）が、フランジ１１６とオリフィス板電極１２０との間に配置されており、それらの間に電気的絶縁を設けている。オリフィス板電極１２０に電位を印加して、プラズマの電位を上げることによって、1つ又は複数の試薬イオンを、フランジ１１６とオリフィス板電極１２０とによって規定された開口１２２を通過させ、ドリフト外側チェンバ１２４内にある化学イオン化／ドリフト領域１３６内まで導く。化学イオン化／ドリフト領域１３６は、オリフィス板電極１２０よりも低い電位に維持されている。サンプル供給部１２８は、化学イオン化／ドリフト領域１３６と流体連通しており、サンプル流体（例えば、サンプル気体）をシステム１００に供給する。サンプル気体は、流入ポート（図示せず）に流入し、ドリフト外側チェンバ１２４の表面（図示せず）を通過して化学イオン化／ドリフト領域１３６内に達する。流入ポートは、オリフィス板電極１２０の下流側に位置し、オリフィス板電極はフランジ１１６内の中心に配置されているので、試薬イオンはサンプル気体の成分と、化学イオン化／ドリフト領域１３６内において混合することが可能となる。試薬イオンおよびサンプル気体を化学イオン化／ドリフト領域１３６に導入する他の構成も存在し、これらも本発明の範囲内とする。例えば、流入ポートを直接フランジ１１６と結合して、開口１２２を中心として放射状に位置付けた流体通路（図示せず）をサンプル気体が通過する際に、「シャワー・ヘッド」(shower-head)効果を作り出すことができる。
【００５５】
ドリフト・アセンブリ１２６は、化学イオン化／ドリフト領域１３６と、排気ドリフト外側チェンバ１２４とを含む。排気ドリフト外側チェンバ１２４は、化学イオン化／ドリフト領域１３６を効果的に収容する。化学イオン化／ドリフト領域１３６は、一連の電極および絶縁板（中間にＯ−リング・シール（図示せず）がある）によって規定することができ、これらの各々には中心を貫通する通路が設けられている。化学イオン化／ドリフト領域１３６については、図５および図６に関して更に詳しく論ずることとする。化学イオン化／ドリフト領域１３６は、サンプルと試薬イオンとの間における相互作用（例えば、化学反応）を促進する。サンプルと試薬イオンとの間の相互作用によって、1つ又は複数の生成イオンがされる。通例、試薬イオンは、サンプル気体の成分に数で遥かに勝り、試薬イオンは、生成イオンができた後に、生成イオン流において監視することができる。化学イオン化／ドリフト領域１３６は、一般に、電磁界（図示せず）を含み、サンプルおよび試薬イオンが化学イオン化／ドリフト領域１３６内部で混合する際に、サンプルと試薬イオンとの間における相互作用の促進する。また、化学イオン化／ドリフト領域１３６における電磁界は、試薬イオンおよび生成イオンを流出オリフィス１３８に向けて誘導する。
【００５６】
化学イオン化／ドリフト領域１３６および流出オリフィス１３８を通過したイオンは、フランジ１４０によって規定された流出オリフィス１４４上に集束される。流出オリフィス１４４は、イオンをドリフト外側チェンバ１２４から流出させる。イオンは、レンズ・アセンブリ１４２によって流出オリフィス１４４上に集束される。実施形態によっては、レンズ・アセンブリ１４２が集束開口を含むこともある。実施形態によっては、レンズ・アセンブリ１４２に三次元アインツエル・レンズ(Einzel lens)を採用することもある。レンズ・アセンブリ１４２は、例えば、イオンのフラックス、速度、またはモーメント(momentum)というような、指定された流量パラメータに応じて、質量分光計モジュール１４８に向けて誘導する。レンズ・アセンブリ１４２は、流出オリフィス１４４を通過するイオンの数を最適化するために用いることができる。実施形態によっては、システム１００はレンズ・アセンブリを含まないこともある。
【００５７】
質量分光計モジュール１４８は、試薬および生成イオンの質量および分量を、例えば、イオンを収集することによって判定する。質量分光分析モジュール１４８は、流出オリフィス１４４を通過した試薬および生成イオンを表す、質量スペクトルを生成し、および／または得られた質量スペクトルを解析する。生成イオンに関連する質量スペクトルは、サンプル供給部１２８によって供給されたサンプルの構成物の存在、分量、体積、濃度、または素性を判定するために用いることができる。試薬イオンの測定は、システム１００を較正するためおよび／またはエラー・チェックを行うために用いられる。質量分光計モジュール１４８は、四重極質量分光計または飛行時間型質量分光計とすることができる。
【００５８】
また、システム１００は、制御モジュール１５２も含む。制御モジュール１５２は、システム１００の動作状態またはパラメータに関するデータを受信する。このデータに基づいて、制御モジュール１５２はシステムの構成機器について入力値または入力動作パラメータを決定または設定する。例えば、制御モジュール１５２は、試薬蒸気供給部１０４、プラズマ発生器１０８、プラズマ領域１１２、オリフィス板電極１２０、化学イオン化／ドリフト領域１３６、レンズ・アセンブリ１４２、流出オリフィス電極１４４、または質量分光計モジュール１４８からデータを受信することができる。制御モジュール１５２は、収集したデータに応答して、例えば、システム１００を起動するとき、または動作パラメータに関して受信したデータに応答して、これらの構成機器の各々について入力値を設定することができる。
実施形態によっては、制御モジュール１５２が、動作パラメータについて受信したデータに応答して自動的に動作パラメータの値を更新することもある。例えば、圧力または化学イオン化／ドリフト領域１３６に関する動作パラメータが、これらのパラメータの指定値または所望値から逸脱する場合、制御モジュール１５２は、パラメータがこれらのパラメータの入力値または正しい値に対応するまで、化学イオン化／ドリフト領域１３６内の圧力を設定するサンプル供給部１２８または電磁界を発生する電極（図示せず）を調節することができる。別の動作パラメータには、システム１００における試薬イオンまたは生成イオンの速度またはエネルギ、流体サンプルの化学イオン化／ドリフト領域１３６内への流量(flow rate)、試薬イオンの化学イオン化／ドリフト領域１３６内への流量、サンプルの組成、サンプルおよび試薬イオンの相対的濃度、あるいは試薬イオンおよび生成イオンの相対的濃度が含まれる。実施形態の中には、制御モジュール１５２がシステム１００の多数の動作パラメータを監視することもある。
【００５９】
実施形態によっては、制御モジュール１５２が、システム１００のパラメータを受信するおよび／または更新するためにプラズマ計測プロセスを用いることもある。このプラズマ計測プロセスは、例えば、プラズマ領域１１２からの発光スペクトルを監視することができる。発光スペクトルに基づいて、制御モジュール１５２は、プラズマ領域１１２内部における動作パラメータ（例えば、プラズマ・パラメータ）の値、例えば、特定の発光波長の強度を判定し、このパラメータが指定値または所望値から逸脱する場合、制御モジュール１５２は、これらのパラメータが当該パラメータに対する最適値に対応するまで、プラズマ・パラメータを調節することができる。制御モジュール１５２が最適な状態またはパラメータを達成することができない場合、異常状態を検出および／または登録するとよい。
【００６０】
実施形態によっては、質量フィルタ（図示せず）をマイクロ波／ＲＦプラズマ領域１１２と化学イオン化／ドリフト領域１３６間に配置することができる。質量フィルタは、試薬イオンを選択的に通過させて化学イオン化／ドリフト領域１３６に到達させるために用いることができる。実施形態によっては、質量フィルタは四重極質量フィルタであることもある。
【００６１】
システム１００は、システム１００全体における圧力に値を確定するために、1つ又は複数のポンプ（図示せず）に結合されている1つ又は複数のポート（図示せず）を含む。例えば、マイクロ波／ＲＦプラズマ領域１１２、化学イオン化／ドリフト領域１３６、排気ドリフト外側チェンバ１２４、および質量分光計モジュール１４８内における圧力値を、1つ又は複数のポンプによって維持する。
【００６２】
図２は、質量分光分析システム（例えば、図１のシステム１００）のための試薬蒸気供給アセンブリ２００の断面図である。アセンブリ２００は、一定のまたは安定した蒸気の流束または流動体をエネルギ源、例えば、図１のプラズマ発生器１０８に供給するように構成されている。アセンブリ２００によって供給された蒸気は、1つ又は複数の試薬分子を含み、これらはマイクロ波またはＲＦプラズマによってイオン化することができ、試薬蒸気と呼ばれることもある。アセンブリ２００は、流体供給部を収容するリザーバ２０２を含む。リザーバ２０２は、ステンレス鋼またはその他の適した金属で製作することができる。
【００６３】
実施形態によっては、リザーバ２０２が水または純水を貯蔵して水蒸気を発生することもある。図示のように、リザーバ２０２は５つのポートを含む。ポート２０４は、流体をリザーバに導入する管即ちチャネルに接続することができる（例えば、水または流体供給部を満タンにする）。ポート２０６は、試薬蒸気を質量分光分析システムに配給する、即ち、受け渡す管即ちチャネルに接続することができる。ポート２０８は、リザーバ２０２内にある流体についての測定値を得る管即ちチャネルに接続することができる。例えば、ポート２０８は、リザーバ２０８内部の頭隙圧力を判定するために、容量式マノメータ・ゲージに結合することができる。実施形態によっては、ポート２０８を用いないこともある。ポート２１６は、リザーバ２０２の中にある流体の量を測定する管即ちチャネルに接続することができる（例えば、水位指示器に接続するため）。ポート２１８は、リザーバ２０２から流体を抜く、即ち、空にする管即ちチャネルに接続することができる。ポート２０８および２１６の各々は任意であり、実施形態によっては、システム２００には含まれないことも、質量分光分析の動作には用いられないこともある。実施形態によっては、ポート２０４、２０６、２０８、２１６、および２１８の各々が、直径０．２５インチ（約０．６３５センチメートル）の管に接続できる場合もある。他のサイズの管即ちチャネルでも、これらのポートに接続することができ、更に管即ちチャネルは同じサイズである必要はない。
【００６４】
実施形態によっては、リザーバ２０２を特定の高温まで、リザーバ２０２を包囲するヒータ・ジャケット２１４を用いて加熱することもある。実施形態によっては、図１の制御モジュール１５２を熱電対２１２に結合することもある。リザーバ２０２（およびその中にある流体）の温度は、質量分光分析システムの動作に応答して、制御モジュール１５２によって維持、規制、および調節される動作パラメータとすることができる。この制御により、ユーザは液体表面２１０よりも上にある頭隙２１３における蒸気圧を、指定値または所望値に維持することが可能となる。
【００６５】
また、アセンブリ２００は、質量流量コントローラ２２４に流体連通して結合されている配管２２２も含む。質量流量コントローラ２２４は、配管２２６を通過してプラズマ領域２３０に流入する試薬蒸気の量を決定することができ、試薬イオンの生成は、マイクロ波またはＲＦエネルギを試薬蒸気に印加することによって行われる。実施形態によっては、質量流量コントローラ２２４を、アセンブリ２００（図示せず）から離れて位置する別個の電子回路を有する加熱質量流量コントローラとすることもできる。
【００６６】
質量流用コントローラ２２４と一緒にまたはその代わりに、他の種類の流量コントローラを用いることができる。図示のように、アセンブリ２００は、プラズマ領域２３０内部における圧力の値を示すためにゲージまたはモニタ２２８を含む。このゲージは、容量式マノメータ・ゲージである。実施形態によっては、図１の制御モジュール１５２をゲージまたはモニタ２２８に結合し、プラズマ領域２３０内部の圧力を、制御モジュール１５２によって維持、規制、および調節する動作パラメータとすることもある。実施形態によっては、ゲージまたはモニタ２２８をアセンブリ２００に含めないこともある。
【００６７】
実施形態によっては、配管２２２および管２２６をステンレス鋼で作り、約０．２５インチ（約０．６３５センチメートル）の外形を定めることもある。管２２９は、アセンブリ２００の本体をプラズマ領域２３０から電気的に分離する。実施形態によっては、管２２９をポリテトラフルオロエチレン（「ＰＴＦＥ」）で作り、約０．２５インチ（約０．６３５センチメートル）の外形を定めることもある。プラズマ反応領域２３０内部の圧力は、質量分光分析動作の間約１から５torr（約１００から７００パスカル）とすることができる。アセンブリ２００内部の圧力は、アセンブリ２００外部にあるポンプ（図示せず）によって維持されている。例えば、図１のドリフト外側チェンバ１２４に結合されている（そして、更に化学イオン化／ドリフト領域１３６に結合されている）ポンプを用いて、アセンブリ２００との流体連通によって、アセンブリ２００内部の圧力を確定することができる。図１の化学イオン化領域１３６は、開口１２２およびプラズマ領域／管１１２を通じて、アセンブリ２００と流体連通するように結合することができる。
【００６８】
実施形態によっては、ポート２２０は、試薬蒸気を他の気体と混合して、マイクロ波またはＲＦエネルギの印加の間試薬イオン生成を改善するために用いられる。例えば、混合気体は、アルゴン、窒素、またはアルゴン／窒素混合物とすることができる。実施形態によっては、試薬イオン発生に用いられる気体または気体混合物（例えば、ＮＯまたはＯ２）は、ポート２２０を通じて導入され、リザーバ２０２は弁（図示せず）によって配管２２２からは流体的に分離されている。
【００６９】
図３は、試薬イオン発生方法のフロー・チャート３００である。ステップ３０５において、試薬蒸気を供給する。例えば、試薬蒸気は、試薬蒸気の比較的一定なまたは安定した流動体を供給するように、図２に示したシステム２００にしたがって供給することができる。試薬蒸気は、純粋蒸気、あるいはアルゴンまたは窒素またはその混合物のようなプラズマ混合気体と混合した水蒸気とすることができる。実施形態によっては、試薬蒸気が、一酸化窒素（ＮＯ）または二原子酸素（Ｏ２）のような試薬種を含むこともある。
【００７０】
ステップ３１０において、エネルギを試薬蒸気に供給する。実施形態によっては、エネルギがマイクロ波放射線であることもあり、イオン化したマイクロ波プラズマを形成するために用いられる。実施形態によっては、エネルギが高周波ＲＦ電力であることもあり、例えば、容量結合されたＲＦエネルギ源によって生成される種類のＲＦプラズマを形成するために用いられる。マイクロ波エネルギとは、一般に、約８００ＭＨｚよりも大きく約３００ＧＨｚよりも小さい周波数値を有する電磁波によって生成されるエネルギ（例えば、放射エネルギ）のことを言う。高周波ＲＦエネルギとは、一般に、約４００ｋＨｚよりも大きく約８００ＭＨｚよりも小さい周波数値を有する電磁波によって生成されるエネルギ（例えば、放射エネルギ）のことを言う。特に、ＲＦエネルギは、工業、化学、および医療（「ＩＳＭ」）無線中央帯域周波数によって指定される周波数値の範囲内で供給することができる。
【００７１】
ステップ３１０において印加されるエネルギは、試薬蒸気の流束の中にある分子を付勢または励起して、試薬イオンを発生する。試薬蒸気流における分子は、プラズマによってイオン化される。例えば、水蒸気を試薬蒸気として用いる場合、ハイドロニウム・イオンが、多段階反応によって生成される。
【００７２】
ｅ−＋Ｈ２Ｏ→Ｈ２Ｏ＋＋２ｅ−      反応１
Ｈ２Ｏ＋＋Ｈ２Ｏ→Ｈ３Ｏ＋＋ＯＨ    反応２
反応１は、水分子（Ｈ２０）と相互作用するイオン化プラズマからの自由電子（ｅ−）との相互作用を伴い、正荷電、イオン化水分子および第２自由電子を形成する。反応２では、正荷電水分子が中性水分子と相互作用して、ハイドロニウム・イオン（Ｈ３Ｏ＋）およびヒドロキシル基を形成する。ハイドロニウム・イオンは、流体サンプルとの今後の相互作用のための試薬イオンとなることができる。
【００７３】
マイクロ波および高周波ＲＦプラズマの双方が望ましいのは、試薬イオン種、例えば、ハイドロニウム・イオンの生成に必要とされるイオンおよび電子の豊富な源泉を発生する効率的な手段を提供するからである。更に、マイクロ波および高周波ＲＦプラズマは、比較的清浄であり、電極がプラズマに直接接触する中空カソード／グロー放電プラズマ源に付随することが多い内部スパッタリングが殆どまたは全くない。マイクロ波および高周波ＲＦプラズマ源に「電極がない」という特質は、電極腐食に付随する不安定性およびドリフトの影響が低減することを意味する。更に、マイクロ波および高周波ＲＦプラズマ源は、比較的一定の、高いレベルの試薬イオンを供給することができる。
【００７４】
実施形態によっては、図３の方法が、マイクロ波または高周波ＲＦプラズマの圧力を測定することを伴う追加ステップ（図示せず）を含むこともある。プラズマ圧力の値は、質量分光分析システムの制御パラメータとすることができる（例えば、図１の制御モジュール１５２によって制御することができる）。また、プラズマ圧力は、試薬蒸気（例えば、アセンブリ２００からの）のしかるべき供給を判断するためにも用いることができる。
【００７５】
図４は、本発明を具現化する質量分光分析方法４００を示すフロー・チャートである。ステップ４０５は、試薬蒸気を供給することを含み、ステップ４１０はマイクロ波またはＲＦエネルギを試薬蒸気に供給して、例えば、図３に関して先に論じたような、試薬イオンを発生することを含む。次いで、試薬イオンは、プラズマ反応領域と化学イオン化／ドリフト領域との間における圧力低下によって生ずる流体流減少と、化学イオン化／ドリフト領域内部にあるイオン抽出オリフィスまたは電極からの電磁界勾配の影響との組み合わせによって、化学イオン化／ドリフト領域に導かれる。
【００７６】
ステップ４１５において、流体サンプル（例えば、1つ又は複数の揮発性有機化合物の分子を含有する気体）が試薬イオンと相互作用する。流体サンプルおよび試薬イオンを混合すると、その結果、流体サンプルと試薬イオンとの間に相互作用が生ずる。例えば、流体サンプルは、流入ラインを通って試薬イオンの流れに供給することができ、流入ラインは、ドリフト外側チェンバを貫通して、化学イオン化／ドリフト領域内に達する。サンプル供給部と化学イオン化／ドリフト領域との間における圧力低下が、流体サンプルを搬送する流体流の化学イオン化／ドリフト領域の流入を促進することができる。化学イオン化／ドリフト領域は、電磁界を含み、この電磁界がその領域内部における試薬イオンの移動を促進し、更に試薬イオンと流体サンプルの構成物との間の衝突を促進する。試薬イオンと流体サンプルの構成物との間の衝突の結果、流体サンプルの粒子をイオン化する化学反応が起こる。ハイドロニウム・イオンおよび陽子親和性が水よりも大きい構成分子のサンプル種Ｒを伴う化学反応の一例を、以下に示す。
【００７７】
Ｈ３Ｏ＋＋Ｒ→ＲＨ＋＋Ｈ２Ｏ    反応３
ハイドロニウム・イオンおよび化学種Ｒを伴う化学反応は、低エネルギおよび／または軟イオン化(soft ionization)相互作用である。サンプル分子の完全性(integrity)が著しく変化することはなく、例えば、電子衝突イオン化のような、これよりもエネルギが高いイオン化プロセスと比較すると、サンプルの分子断片化は減少する、または最低限に抑えられる。更に、陽子親和性が水よりも低いサンプルにおける化学種は、ハイドロニウム原子との衝突によってイオン化されず、したがって質量分光分析の間には検出されない。このような化学種の例には、空気の極普通の構成物が含まれ、二原子窒素、二原子酸素、アルゴン、二酸化炭素、およびメタンが含まれる。一般に、これらの空気の構成物は、サンプル内に極少量存在する構成物と比較すると、サンプルにおける空気の構成物の大きな割合に基づいて捕獲した質量スペクトルにおいて、高い高度スペクトル・ピークを生ずる。高い強度のスペクトル・ピークは、近隣にある低強度のピークを曖昧にする可能性があり、あるいは低強度のピークを高強度のピークから区別する際に困難さが増大する可能性がある。したがって、この化学イオン化技法の選択特質により、サンプルにおける低強度／痕跡レベルの化学種によるスペクトル・ピークを区別する能力を高めることができる。
【００７８】
ステップ４２０において、試薬イオンおよび生成イオンは、化学イオン化／ドリフト領域の外側に、レンズまたは流出オリフィス・アセンブリを通って、質量分光計の捕収領域に向けて導かれる。実施形態によっては、試薬イオンおよび生成イオンが、化学イオン化／ドリフト領域内において確立される電磁界によって、化学イオン化／ドリフト領域の外側に導かれることもある。試薬イオンおよび生成イオンは、化学イオン化／ドリフト領域の終端において、オリフィスから出て、レンズ・アセンブリを通過し、イオン抽出オリフィスを通過して、質量分光計モジュールの中に達する。レンズ・アセンブリは、集束開口を特徴とすることができ、または三要素アインツエル・レンズを特徴とすることができる。実施形態によっては、イオン抽出オリフィスをフランジの内部に配置することもある。試薬イオンおよび生成イオンを導いてオリフィスを通過させる電界を発生するように、レンズ・アセンブリおよびイオン抽出オリフィスに電位を印加することができる。一般に、質量分光計モジュールは、質量分光計およびその構成要素の有効な動作のために分子流状態が優勢となることを確保するために、比較的高い真空において動作させる。
【００７９】
質量分光計モジュールは、四重極質量分光計または飛行時間(time of flight)型質量分光計を含むことができる。いずれの種類の質量分光計についても、試薬イオンおよび生成イオンは、質量分光計の捕収領域に導かれる。これらのイオンは、捕収領域において検出器と衝突し、その結果得られる電流が質量分光計において増幅される（例えば、電子増倍管と前置増幅器の組み合わせを用いる）。捕収器からの入力に基づいて、質量分光計は、試薬イオンおよび生成イオンについてのデータを蓄積し、収集したイオンの質量値（または質量電荷比）および分量を示す信号スペクトルを発生する。
【００８０】
ステップ４２５は、例えば、発生した質量スペクトルに基づいて、試薬イオンおよび生成イオンの質量並びに分量を判定することを伴う。質量スペクトルにおいて細かく分解されたピークを用いると、試薬イオンおよび生成イオン双方の正確な質量または質量電荷比を判定することができる。また、これらのピークの具体的な位置から、スペクトル信号または信号ピークから判定された質量値と既知の質量の分子またはイオンとの比較によって、流体サンプルの成分の特定が容易になる。実施形態によっては、解析モジュールを用いて信号スペクトルを表示すること、および／またはスペクトルにおけるピークの存在および位置を判定することができる。
【００８１】
図５は、本発明を具現化する四重極質量分光分析システム５００の断面図である。システム５００は、化学イオン化／ドリフト領域５０８に結合されている試薬イオン源５０４を含む。システム５００における試薬イオン源５０４は、マイクロ波エネルギ源に基づいており、マイクロ波エネルギ源は、共振キャビティ５２０の開口５１６を貫通して配置されているスタブ・アエリアル(stub aerial)５１４を有するマグネトロン５１２を含む。実施形態によっては、試薬イオン源エネルギ源５０４は、ＲＦエネルギ源のような、高周波エネルギ源に基づくこともできる。また、試薬イオン源５０４は、開口５２８を通って共振キャビティ５２０を通過する管５２４も含む。また、管５２４は、２つのマイクロ波チョーク５３２も貫通する。これらのチョーク５３２は、共振キャビティ５２０の外面５３６上に配置されている。マイクロ波チョーク５３２は、共振キャビティ５２０または管５２４から漏れる(escape)マイクロ波エネルギの量を低減し、システム５００の他の構成機器に広がるマイクロ波エネルギを低減する。管５２４は、シリカ、またはクオーツのようなシリカ材料で作ることができる。実施形態によっては、管５２４をサファイアで作ることができる場合もある。管５２４の端部５４０は、試薬蒸気を試薬イオン源５０４に供給するために、試薬蒸気供給部（図示せず）の対応する端部（図示せず）の結合することができる。例えば、端部５３２は、図２に示す試薬蒸気供給システム２００の管２２９に結合することができる。
【００８２】
実施形態によっては、管５２４の外形が約６ミリメートルであることもある。共振キャビティ５２０は、ｙ−軸に沿った長さｌを定める。長さｌは、共振キャビティ５２０の最も低い次数の共振モードの波長λ１つに対応するか、またはこれにほぼ等しい。管５２４は、共振キャビティ５２０の上面５４４からｙ−軸に沿って約１／４λの距離に位置付けられている。更に具体的には、管５２４は、共振キャビティ５２０から管５２４に移る共振エネルギを最大にするように、共振キャビティ５２０の波腹に位置付けられている。
【００８３】
実施形態によっては、マグネトロン５１２は、９００−ワット・マグネトロンであり、スタブ・エアリアル５１４は、マイクロ波電力を共振キャビティ５２０に供給する。この電力は、共振キャビティ５２０においてマイクロ波スペクトル内に周波数値を有する電磁波によって放射分散され、管５２４に移される。キャビティ５２０内部において共振エネルギが、管５２４の内側にある試薬蒸気と相互作用する結果、管５２４の内部にプラズマが発生する。試薬蒸気は、試薬蒸気供給部に結合されている端部５４０を通じて管５２４に入る。管５２４と化学イオン化／ドリフト・チェンバ５０８との間における圧力低下のために、試薬蒸気供給部は、試薬蒸気の流れを管内５２４に、例えば、ｘ−軸に沿って供給または誘導する。試薬蒸気の連続流によって、管５２４の内側にマイクロ波プラズマが維持され、例えば、先に論じたように、1つ又は複数の試薬イオンを発生することを確保する。
【００８４】
実施形態によっては、共振キャビティ５２０が、閉鎖端を有する銀めっきアルミニウム押し出し成型で作られることもある（例えば、キャビティ５２０の上面および底面５４８）。実施形態によっては、マイクロ波チョーク５３２は、円筒形状であり、中央線（図示せず）がｘ−軸に対して平行、同軸、または同一直線上となっている場合もある。マイクロ波チョーク５３２は、ステンレス鋼またはアルミニウムのいずれかで作ることができる。実施形態によっては、チャネル５３３がマイクロ波チョーク５３２の一方または双方の内部に配置されていることもある。チャネル５３３の長さは、ｙ−軸に沿って約１／４ｌとすることができる。
【００８５】
管５２４の第２端部５５２は、オリフィス板５５６の面５５７（図６参照）において終端する。オリフィス板５５６は、フランジ５６０内部に保持され、化学イオン化／ドリフト領域５０８に取り付けられている。試薬イオンは、管５２４からオリフィス・プレート５５６を通過して、化学イオン化／ドリフト領域５０８内に達する。化学イオン化／ドリフト領域５０８は、部分的に、ドリフト外側チェンバ５６２の中心を通りｘ−軸に沿って離間関係で配置されている環状電極５６４によって定められる。電極５６４の各々に電位を印加して、電磁界を発生する。実施形態によっては、電磁界がｘ−軸に沿って方向付けられた線形場勾配を有することもある。各電極に印加される正電位の値は、ｘ−軸の正方向に沿って減少し、軸方向に向けられた線形電磁場勾配を発生する。非線形電磁場勾配を用いることもできる。電極５６４は、それらの間に配置されている環状絶縁素子５６８によって、互いに電気的に分離されている。電界によって、試薬イオン源５０４（例えば、管５２４）からの試薬イオンと、化学イオン化／ドリフト・チェンバ・ポート５６６において導入されるサンプルとの間における相互作用が促進される。
【００８６】
また、ドリフト外側チェンバ５６２は、昇圧システム５８０に結合されている昇圧ポート５７６も含む。また、ドリフト外側チェンバ５６２は、電気フィードスルー・ポート（図示せず）、ならびにサンプル導入線（図示せず）の管コネクタ（図示せず）や、全圧力ゲージ５７２および第２ゲージ（図示せず）と流体連通するための管コネクタ（図示せず）を有するポート５７１も含む。実施形態によっては、昇圧システム５８０は、ダイアフラム・バッキング・ポンプ（図示せず）を有するターボモレキュラ・ポンプ(turbomolecular pump)を含むこともある。昇圧システム５８０は、ドリフト外側チェンバ５６２および化学イオン化／ドリフト領域５０８内に要求圧力を確立する。ドリフト・チェンバ５０８内部の圧力は、全圧力ゲージ５７２によって監視することができ、ドリフト外側チェンバ５６２内部の圧力は、第２ゲージ（図示せず）によって監視することができる。これらのゲージによって供給されるデータは、入力として、例えば、システム診断プロセスのために、制御モジュール（図示せず）に供給することができる。
【００８７】
化学イオン化／ドリフト領域５０８およびドリフト外側チェンバ５６２は、両面フランジ５８６を介して質量分光計５９２の対応するフランジ５８８に結合されているフランジ５８４を含む。システム５００内に図示されている質量分光計５９２は、四重極質量分光計である。質量分光計５９２は、分光計プローブ５９４を含み、昇圧システム５９６と流体連通して結合されている。昇圧システム５９６は、質量分光計５９２の内側の圧力を確立し、例えば、試薬イオンおよび生成イオンの質量の測定を容易にし、更に質量分光計内にある周囲成分(ambient components)との相互作用から生じるイオンの質量のこの測定に対する悪影響を低減する。
【００８８】
化学イオン化／ドリフト領域５０８から質量分光計５９２に通過したイオンは、イオン抽出電極５８２によって、質量分光計プローブ５９４に導かれる。実施形態によっては、イオン光学アセンブリ（図示せず）をイオン抽出電極５８２と共に用いて、質量分光計５９２に受け渡される試薬イオンおよび生成イオンの数を増大させることができる。例えば、集束開口または三要素アインツエル・レンズを用いることができる。分光計プローブ５９４は、電気的なバイアスをかけられた四重極質量分析器または質量フィルタとすることができる。四重極質量分析器は、例えば、正方形の頂点としてそしてｘ−軸に並列に位置付けられた４本の平行な金属ロッドを含む。ロッドの対向する対は、電気的に結合されて、２つの電気的に結合されたダイポール(dipoles)を形成する。正ＤＣ電圧成分を有する第１ＲＦエネルギまたは電圧を、第１ダイポールのロッドに印加することができ、負ＤＣ電圧成分を有する第２ＲＦエネルギまたは電圧を第２ダイポールのロッドに印加することができる。質量フィルタを通過して安定した軌道上にあるイオンは、ロッドの間を、これらのロッドにほぼ平行な方向（例えば、正方形の中心軸に平行）に通過する。
【００８９】
分光計プローブ５９４に印加されたＲＦおよび／またはＤＣエネルギは、質量選択発振場を発生する。質量選択場によって、概略的にｘ−軸に沿った方向を有する発振形状寸法(oscillating geometry)のような、指定された形状寸法のイオン軌道が得られる。軌道は、質量電荷比の値が指定範囲内であるイオンが実質的に検出器５９８に至る軌道を辿ることができ、一方指定範囲外のイオンは検出器５９８に至る軌道を辿らないように指定される。選択されなかったイオンは、ロッドと衝突し、検出器５９８によって収集されない。実施形態によっては、質量選択場は、四重極ロッドに印加されるエネルギ、例えば、電位、ＤＣエネルギ、またはＲＦエネルギの値に応じて変化する。質量値の帯域幅は、特定の場の強度または流束によって選択することができる。加えて、分光計プローブ５９４は、質量選択場を変化させることによって、質量範囲に合わせて走査することができる。
【００９０】
実施形態によっては、分光計プローブ５９４は、三重フィルタ四重極質量分析器と呼ばれる、直線状で同軸となった一連の３つの四重極を含むこともある。このような実施形態では、三重フィルタの第１および第３エレメントは比較的短い（例えば、約１インチ即ち２．５４センチメートル）「ＲＦ専用」フィルタであり、これらに向けて送信されるＲＦ電圧要素を第２または主フィルタによって搬送する。これらの「ＲＦ専用」前置および後置フィルタは、イオン・レンズとして機能し、質量フィルタ・アセンブリの内外にイオンを集束する。前置および後置フィルタをこのように用いる目的は、フィルタ・アセンブリを通過するイオンの透過を改善することであり、特に透過するイオンの数を増大させることによって、より大きな質量（例えば、約８０原子質量単位よりも大きいもの）のイオンの透過を改善する。また、前置および後置フィルタは、フィルタの質量分解能および元素組成感度性能も改善する。三重フィルタ・アセンブリを通過することに成功したイオンは、検出器５９８によって収集される。実施形態によっては、検出器５９８が電子増倍検出器(electron multiplier detector)であることもある。電子増倍検出器は、検出器（図示せず）の入口または前面とのイオンの衝突によって発生する電気信号を増幅する。
【００９１】
図６は、図５に示した化学イオン化／ドリフト領域５０８の拡大図である。化学イオン化／ドリフト領域５０８は、化学イオン化／ドリフト・チェンバ６２０を含む。化学イオン化／ドリフト・チェンバ６２０は、抽出オリフィス６１６を定めるイオン抽出電極６１２上に実装可能である。試薬イオンがプラズマ領域６０８から化学イオン化／ドリフト領域５０８内に移動するときに、試薬イオンは抽出オリフィス６１６を通過する。イオン抽出電極６１２は、エネルギ源（図示せず）と流体連通して結合することができる。イオンは、抽出電極６１２に印加された電位によって発生する電磁界の影響の下で、抽出オリフィス６１６を通過する。抽出電極６１２は、セラミック・インサートまたは他の絶縁性材料で作られたインサートを有する1つ又は複数のネジ（図示せず）によってフランジ６０４に結合されている。これらのネジおよびインサートは、絶縁（例えば、セラミックまたはＰＥＥＫ）カラー６１４を貫通し、更に抽出電極６１２をフランジ６０４から電気的に分離する。実施形態によっては、抽出電極６１２に印加される電位の値は、試薬イオンが、ｘ−軸に実質的に平行な中心線Ａに沿って化学イオン化／ドリフト領域５０８の化学イオン化／ドリフト・チェンバ６２０の中まで進行する際に、試薬イオンの平均エネルギに影響を及ぼすこともある。加えて、抽出オリフィス６１６のサイズおよび／または形状寸法は、化学イオン化／ドリフト・チェンバ６２０に流入する試薬イオンの量を決定する。
【００９２】
イオンは、抽出電極６１２内にある抽出オリフィス６１６を通過し、更に実質的に中心線Ａ（例えば、軸方向、即ち、ｘ−軸に平行）に沿って化学イオン化／ドリフト・チェンバ６２０に流入する。1つ又は複数の板電極６２４およびドリフト端板電極６２５（電極スタックとも呼ぶ）の各々に印加された電位によってドリフト領域６２０内に電磁界が発生する。これらの電極は、金属またはその他の導電性材料で作ることができる。実施形態によっては、板電極６２４およびドリフト端板電極６２５は、各々環形状をなし、中心のオリフィス６３０および６３３が中心線Ａと一直線状となっている。各板電極の中央オリフィス６３０は、直径を約１０ミリメートルとすることができる。ドリフト端板電極の中央オリフィス６３３は、直径を約１から２ミリメートルとすることができる。他の直径および形状寸法（例えば、非円形）も、本発明の範囲に該当するものとする。板電極６２４およびドリフト端板電極６２５は、1つ又は複数の絶縁カラー６２８によって、物理的に分離されそして電気的に絶縁されている。実施形態によっては、絶縁カラー６２８が環形状をなし、中央オリフィス６３１が中心線Ａと一直線状となっていることもある。絶縁カラー６２８における中央オリフィス６３１の直径は、約２０ミリメートルとすることができる。他の直径および形状寸法も、本発明の範囲に該当するものとする。絶縁カラー６２８に適した材料には、英国、ランカシャーのVictrex plc社が販売する、PEEK（商標）で作られたカラー、またはペンシルベニア、ReadingのQuadrant Engineering Plastic Productsが販売するSEMITRON（登録商標）のような、静的消散プラスチック(static dissipative plastic)で作られたカラーのような、ポリマ材料が含まれる。Ｏ−リング（図示せず）が、絶縁カラー６２８の各々のいずれかの側において、環状溝内部に配置されている。Ｏ−リングは、絶縁カラーと板電極６２４またはドリフト端板電極６２５との間の界面において機密封止を促進する。実施形態によっては、これらのｏリングは、デラウェア、WilmingtonのDu Pont Performance Elastomersが販売するVITON（登録商標）フッ化エラストマで作ることができることもある。
【００９３】
抽出電極６１２、板電極６２４、およびドリフト端板電極６２５は、協同して化学イオン化／ドリフト・チェンバ６２０内部に電磁界を発生する。実施形態によっては、この電磁界はｘ−軸に沿って線形な場勾配を有することがある。または、電磁界勾配は、例えば、抽出電極６１２、板電極６２４の各々、およびドリフト端板電極６２５に印加される電位間の差に基づいて、非線形にすることもできる。この電磁界は、試薬イオンを誘導し、試薬イオンとサンプル流体の構成物との間の相互作用を促進する。
【００９４】
実施形態によっては、ｘ−軸に沿って増大する方向に、板電極６２４およびドリフト端板電極６２５の各々に、中心線Ａに沿って電位を減少するように印加して、化学イオン化／ドリフト・チェンバ６２０内部における試薬イオンおよび生成イオンの流動を促進する。サンプル気体は、例えば、図１において論じたように、サンプル供給部（図示せず）からドリフト外側チェンバにおけるポート（例えば、図５のポート５７１）を通過し、次いで絶縁カラー６２８の側面におけるポート６３２を通過して、化学イオン化／ドリフト・チェンバ６２０に供給される。別の絶縁カラー６２８の側面にある同様のポートは、図５のポート５７１におけるゲージ５７２と流体連通し、化学イオン化／ドリフト・チェンバ６２０内部の圧力測定を容易にすることができる。実施形態によっては、サンプル供給部が質量流量コントローラを備えており、これを用いて、化学イオン化／ドリフト・チェンバ６２０に流入する流体サンプルの流量を制御する場合もある。サンプル気体は、ｘ−軸に沿って増大する方向に中心線Ａに沿って進行し、試薬イオンと相互作用する。板電極６２４およびドリフト端板電極６２５は抽出電極６１２に固着されており、抽出電極６１２は、板電極６２４およびドリフト端板電極６２５を化学イオン化／ドリフト・チェンバ６２０内部で支持する。
【００９５】
実施形態によっては、電極６１２、６２４、および６２５の各々に電位を供給するために、制御モジュール（図示せず）をイオン抽出電極６１２、板電極６２４の各々、およびドリフト端板電極６２５に結合する。また、制御モジュールは、場の勾配、圧力、または検出したイオン強度のような、化学イオン化／ドリフト・チェンバ６２０内部におけるその他のパラメータも監視する。特定の監視対象パラメータに対する値が所定の閾値から逸れる場合、制御モジュールは、イオン抽出電極６１２、板電極６２４の各々、およびドリフト端板電極６２５に印加する電位の値をリセットまたは調節することができる。
【００９６】
実施形態によっては、制御モジュールは、イオン抽出電極６１２、板電極６２４の各々、およびドリフト端板電極６２５の電位を、化学イオン化／ドリフト・チェンバ６２０のパラメータの変化に応答して、フィードバック・ループを通じて自動的に変化させることもある。例えば、制御モジュールは、初期状態またはモードとして、所与のサンプル監視要件にとって最適なｅ／ｎ（例えば、電荷密度）設定値を定める電界勾配および圧力を確立することができる。実施形態によっては、制御モジュールは、化学イオン化／ドリフト・チェンバ６２０のパラメータを監視し、電界勾配および／または圧力のリアル・タイムの調節によって、最適なｅ／ｎレベルを維持することもできる。実施形態によっては、制御モジュールは、ユーザが行ったｅ／ｎレベルの調節に基づいて、例えば、２つの同重核化合物(isobaric compound)間で判別するために異なるｅ／ｎレベルを用いるときに、化学イオン化／ドリフト・チェンバ６２０の場勾配および／または圧力レベルに対して変化させることもできる。実施形態によっては、イオン抽出電極６１２、板電極６２４の各々、およびドリフト端板電極６２５によって確立される電界勾配が、ｘ−軸（または中心線Ａ）に沿って線形となることもある。実施形態によっては、電界勾配が非線形となることもある。制御モジュールが監視することができ、化学イオン化／ドリフト・チェンバ６２０内部における電界、圧力、およびｅ／ｎレベルと関連がある可能性がある別のパラメータには、生成イオンの試薬イオンに対する比率がある。
【００９７】
ドリフト外側チェンバ５６２は、固定フランジ６３６を組み込んでおり、質量分光計６４４の対応するフランジ６４０に、それらの間に配置されている両面フランジ６４８によって固着されている。抽出オリフィス６５６を定めるイオン抽出電極６５２が、例えば、1つ又は複数の絶縁されたネジ６６０によって、フランジ６４８に固着されている。絶縁カラー６５８（例えば、セラミックで作られている）が、イオン抽出電極６５２を両面フランジ６４８から電気的に分離する。金属板６５９が、絶縁カラー６５８を遮蔽し、表面電荷の蓄積を低減する。表面電荷は、化学イオン化／ドリフト・チェンバ６２０と質量分光計６４４との間にある領域６５７において、イオン光学素子と干渉する可能性がある。イオン抽出電極６５２に電位を印加して、試薬イオンおよび生成イオンを化学イオン化／ドリフト・チェンバ６２０から質量分光計６４４に誘導する場を形成する。質量分光計６４４は、質量分光計６４４および分光計プローブ６６４の真空排気(vacuum pumping)および／または真空引き(evacuating)を促進するための1つ又は複数の孔６６８を有する分光計プローブ６６４を含む。分光計プローブ６６４は、実質的に中心線Ａと平行に調節されており、イオンは中心線Ａに沿って集束電極６７６を通って分光計プローブ６６４に入ることができる。分光計プローブ６６４は、解析モジュールに結合されている。解析モジュールは、分光計プローブ６６４に結合されている検出器（図示せず）によって収集された試薬イオンおよび生成イオンに基づいて、質量スペクトルを発生および／または表示する。実施形態によっては、領域６５７内において、化学イオン化／ドリフト・チェンバ６２０および質量分光計６４４との間に、追加のイオン光学素子（図示せず）を用いて、例えば、質量分光計６４４に到達する試薬イオンおよび生成イオンのレベルを最適化する。イオン光学素子は、集束開口または三要素アインツエル・レンズの形態をなすことができる。
【００９８】
図７は、本発明を具現化する飛行時間型質量分光計システム７００の平面図である。システム７００は、イオンをシステム７００に供給するイオン源７０４を含む。イオン源７０４は、生成イオンおよび試薬イオンを、例えば、化学イオン化／ドリフト領域５０８の化学イオン化／ドリフト・チェンバ６２０から供給することができる。イオンは、イオン源７０４から、イオン流によって、飛行時間型質量分光計７０８に流入する。イオンは、飛行時間型質量分光計７０８からは電気的に分離されているイオン抽出電極（図示せず）内にあるイオン抽出オリフィス（図示せず）を通って飛行時間型質量分光計７０８に流入することができる。イオン抽出電極に電位を印加して、飛行時間型質量分光計７０８内においてイオンを誘導する電磁界を発生することができる。
【００９９】
飛行時間型質量分光計７０８は、昇圧システム７１２と流体連通して結合されている。昇圧システム７１２は、飛行チェンバ７０８内部の圧力を確立する。イオンは、１組のイオン・レンズ７２０を含む、イオン光学素子アセンブリ７１６に向けて導かれる。1つ又は複数の電位をイオン・レンズ群７２０に印加して、イオン・ビームを誘導し、その形状寸法を定める電磁界を供給する。例えば、イオン・レンズ７２０は、イオン流の可能な軌道を制限することによって、イオン流を集束するか、または体積を縮小することによってイオン流束を増大させることができる。また、イオン・レンズ７２０は、速度スペクトルまたはイオンの分布におけるばらつきを低減することもできる。実施形態によっては、イオン・レンズ７２０は、1つ又は複数のＤＣ電位が印加される四重極レンズのような、静電レンズである。イオン・レンズ７２０は、集束場(focusing field)を発生し、これがイオン流と相互作用して、イオン流の方向（例えば、軌道７２８に沿った）の空間的ばらつきを最小限に抑える。光学アセンブリ７１６は、例えば、イオン流のイオン流束、モーメント、または速度を増大させるために、イオン・ビーム即ちイオン流の特性を最適化することができる。ビーム特性をこのように改善することによって、質量スペクトルの分解能向上、および質量スペクトルにおけるピーク検出の改善が可能となる。質量スペクトルにおけるピークは、特定の質量値を有する特定のイオンの素性または分量を示す。質量スペクトルおよびスペクトル・ピークの分解能向上によって、ピークとスペクトル・ノイズまたは信号ノイズとの間の差別化を改善することが可能となる。
【０１００】
イオンは、イオン・ビーム調節器７２４に向かって導かれる集中流となって、光学アセンブリ７１６から流出する。イオン・ビーム調節器７２４は、飛行領域７３２を通過する軌跡７２８に沿ったイオン流を中断または変調するチョッパ・アセンブリとすることができる。実施形態によっては、イオン・ビーム調節器７２４を駆動システム（図示せず）、例えば、イオン・ビーム調節器７２４のパラメータを制御するディジタル電子制御モジュールに結合することもある。これらのパラメータは、指定された中断または流動パターンに応じて制御することができる。このようなパラメータは、イオン・ビーム調節器の中にある交流ワイヤに印加する正および負電圧を含む。これによって、電圧が印加されたときに、イオンの散乱が発生し、電位が印加されないときに、軌跡７２８に沿って途切れのないイオン流（または脈動）が生ずる。実施形態によっては、印加される正および負電圧の大きさを、最適性能を得るために調節することもできる。実施形態によっては、駆動システムは、指定パターンにしたがってイオン・ビーム調節器７２４のパラメータを制御し、例えば、特定の時間周期でイオン・ビーム調節器ゲートの開放および閉鎖を繰り返す。また、駆動システムは、ランダムなパターンまたは指定されていないパターンにしたがって、イオン・ビーム調節器７２４のパラメータを制御することもできる。実施形態によっては、駆動システムは、軌道７２８に沿って脈動するイオン流を発生することができる、疑似ランダム二進シーケンスに基づく。実施形態によっては、イオン・ビーム調節器７２４は、例えば、指定の流動パターンにしたがって、脈動イオン流を発生するように素早く切り換えることができるイオン・ゲートである。適したイオン・ゲートの一例に、ブラッドベリー−ニールソン・ゲートとして知られているものがある。
【０１０１】
イオンは、ｘ−軸の減少方向に、そして第２光学システム７３６に向かって軌道７２８に沿って移動する。光学システム７３６は、イオンを反射させることによって、軌跡７２８の方向に影響を及ぼすおよび／または方向を変化させるリフレクトロン(reflectron)（ここでは７３６で示す）とすることができ、軌跡７２８ａの経路は、軌跡７２８の経路と対称的になっており、対称軸がレフレクトロン７３６の中心を通過する。実施形態によっては、レフレクトロン７３６が１組の静電レンズ（図示せず）を含み、イオン流を反射する、および／または反射軌道７２８ａに沿って方向転換することもある。実施形態によっては、レフレクトロン７３６が、２区間の互いに接合された抵抗性ガラス管で構成されることもある。グリッド（図示せず）が、レフレクトロン７３６の前面７３０に配置されており、第２グリッド７３８が２つの接合された管区間の間に位置付けられている。前面７３０にあるグリッド、２つの管区間の間にあるグリッド、そしてレフレクトロン７３６の背面７３４にあるグリッドに固定電位を印加することができる。このような構成によって、イオン反射のための電界勾配を、管内部に確立することが可能となる。光学システム７３６から流出した後、イオンは反射軌跡７２８ａを辿って検出器７４０に達する。
【０１０２】
光学システム７３６は、例えば、捕獲した質量スペクトルにおける信号ピークの分解能を高めるために、イオンが飛行領域７３２において進行する経路長ｌを延長するために用いることができる。経路長ｌは、例えば、軌道７２８および反射軌道７２８ａの各々の長さの和に基づいて、既知の長さまたは既定の値を有することができる。イオンが経路長ｌだけ進むのに要する時間量は、試薬イオンまたは生成イオンについて質量または質量電荷比を判定するために用いることができる。例えば、経路長ｌを横断するのに要する時間量は、光学システム７１６によって発生する電磁界の影響の下における加速の後に、飛行チェンバ７０８におけるイオンの速度または力学エネルギを示す。イオンが経路長ｌを横断するのに費やす時間を、ローレンツ力の法則およびニュートンの第２法則と共に用いると、質量または質量電荷率を判定することができる。また、光学システム７３６は、試薬イオンおよび生成イオンの力学エネルギのばらつきを補正するために用いることもできる。相対的に高い力学エネルギを有するイオン程、相対的に力学エネルギが低いイオンよりも光学システム内に深く進む（減少ｘ−軸に沿って）。この現象は、貫通または反射貫通と呼ばれることもある。検出器７４０を軌道７２８または反射起動７２８ａの焦点またはその近くに位置付けることによって、エネルギ分布の質量スペクトルに対する影響を低減する。
【０１０３】
イオン・ビーム調節器７２４の異なるパルスから飛行領域７３２を通過するイオンは、飛行領域７３２において混合して、検出器７４０が受信した信号または検出器７４０が発生した質量スペクトルのいずれかにおいて信号の畳み込みを生ずる。検出器７４０は、一般に、質量は同じであるがエネルギが異なるイオンが光学システム７３６から流出する際に、ほぼ同時に検出器によって収集されるように、エネルギ焦点またはその付近に位置付けられる。実施形態によっては、検出器７４０は、積層マイクロ・チャネル板型検出器(stacked micro-channel plate-type detector)である。検出器７４０は、パルス計数モードで動作する。パルス計数モードによって、個々のイオンが飛行領域７３２を通過した後に、検出器に到達する際に、これらのイオンを収集することが可能となる。実施形態によっては、検出器７４０は、信号判別器、増幅器、および／または時間−ディジタル変換器（ＴＤＣ）と共に用いられる。
【０１０４】
イオン・ビーム調節器７２４が疑似ランダム二進シーケンス型脈動(pulsing)を用いる場合、検出器７４０によって収集されたイオンから捕獲される信号は、統計的信号処理技法のような、信号処理技法を用いて、分解分離することができる。統計的信号処理技法は、分解分離した信号またはスペクトルの統計的解析に基づいて、信号またはスペクトルに関する情報を提供する。捕獲した信号を分解分離(deconvolute)するのに適した信号処理技法の一例は、最尤信号処理である。
【０１０５】
最尤信号処理は、通例、測定したイベントに基づいて、統計的計算を行う。例えば、独立変数ｘｉおよび従属変数ｙｉを測定するＮ回のイベントの集合体において、ｉを１からＮまでとすると、測定データｘｉおよびｙｉから当てはめ関数を決定することができる。当てはめ関数はｍ個のパラメータａｉを含み、ｉは１からｍまでである。イベント毎に、当てはめ関数はｙ（ｘｉ）≡ｙ（ｘｉ；ａ１，ａ２，．．．，ａｍ）という形態で書き表すことができる。イベント毎に、ｙ（ｘｉ）当てはめ関数を、正規化した確率密度関数Ｐｉ＝Ｐ（ｘｉ；ａ１，ａ２，．．．，ａｍ）に変換することができる。ｘｉの観察値において、確率密度関数Ｐｉを計算することができる。尤度関数Ｌ（ａ１，ａ２，．．．，ａｍ）は、個々の確率密度の積であり、
【０１０６】
【数１】
2011511929.tif 000003
【０１０７】
となり、更に、種々のパラメータａｉの最尤値を、これらのパラメータに関する尤度関数Ｌ（ａ１，ａ２，．．．，ａｍ）を最小化することによって求めることができる。
【０１０８】
実施形態によっては、飛行時間型質量分光計７００を、イオン・ビーム調節器７２４の疑似ランダム二進シーケンス脈動を用いて動作させて、畳み込み信号またはスペクトルを生成する。次いで、最尤信号処理を用いて、畳み込み信号またはスペクトルを分解分離する。このモードで用いる場合、イオン・ビーム調節器７２４は、利用可能総時間の約４０％の間イオンを通過させ、利用可能なイオンの約５０％を飛行領域７３２に通過させる。この飛行時間型質量分光計の「高デューティ・サイクル」動作によって、信号対ノイズ比の上昇、感度向上、およびダイナミック・レンジ拡大に関して、性能上の利点が得られる。実施形態によっては、飛行時間型質量分光計７００を単一パルス・モードで動作させることもあり、その場合、イオン・ビーム調節器７２４の１つのパルスからのイオン全てを検出器７４０によって収集してから、イオン・ビーム調節器の後続パルスをトリガする。
【０１０９】
飛行時間型質量分光計７００の「高デューティ比」動作によって得られる利点に加えて、最尤信号処理によっても、信号分解分離方法に勝る、追加の性能向上が得られる。最尤信号処理は、信号ノイズを、ガウス・ノイズではなくポアソン・ノイズとして扱う。また、最尤信号処理は、理想化した計器応答関数ではなく、実際の計器応答関数(instrument response function)、例えば、実際のイオン・ビーム調節器のパルス形状を参照することができる。これらの性能向上によって、信号の分解能の向上ならびに信号対ノイズ比およびダイナミック・レンジの一層の改善が促進される。
【０１１０】
実施形態によっては、最尤信号処理は、データ解析モジュール（図示せず）によって実行する。データ解析モジュールは、例えば、参照表あるいは単一変量または多変量確率方法に基づいて、質量スペクトルにおいて化学種を識別するためにも用いることができる。実施形態によっては、データ解析モジュールは、多変量統計的解析に基づくこともできる。適した多変量統計的解析の例には、例えば、部分的最小二乗判別解析（ＰＳＬ−ＤＡ）あるいは、ホテリング型解析(Hotelling-type analysis)またはＤＭｏｄＸ型解析(DModX-type analysis)を用いた主成分分析が含まれる。実施形態によっては、データ解析モジュールは、サンプルデータを解釈して、サンプルが特定の母集団と関連があるか否か判断するために用いられることもある。実施形態によっては、データ解析モジュールは、システムの診断出力を監視して、システム、例えば、図１のシステム１００において障害が発生したか否か判断することもある。
【０１１１】
本明細書に記載した質量分光分析システムおよび技法には多くの用途が存在する。特に、極少量または濃度の揮発性有機化合物を検出することができる。感度が上昇したこと、ならびに極微量の揮発性有機化合物をリアル・タイムで検出および識別することが可能であることから、本発明のシステムおよび方法は、種々の用途に備えている。特定的な用途には気体のサンプリング（例えば、環境空気、閉鎖空間からの気体、気体供給所からの気体、固体サンプルまたはコンテナから放出される気体、あるいは食品または飲料製品の上にある頭隙内にある気体）が含まれる。次いで、サンプリングされた気体を気体サンプル流入ポートに導入し、試薬イオンと相互作用させて生成イオンを形成する。揮発性有機化合物の特定的な供給および検出は、気体サンプル流入ポートをどのようにそしてどこに位置付けるかに呼応する。
【０１１２】
実施形態によっては、気体サンプル流入ポートは、用途の必要性に合わせて気体サンプル流入ポートを特別に形成するために、用途特定機構を含む。例えば、医療診断用途では、気体サンプル流入ポートを、人間の鼻および口を覆うフェース・マスクに結合するとよい。また、気体サンプル流入ポートまたはフェース・マスクがバクテリア・フィルタを組み込むことも可能である。粒子を含有する環境からのサンプリングを伴う用途では、粒子フィルタを、例えば、サンプリング・ラインまたは気体サンプル流入ポートに組み込むとよい。サンプル蒸気が含有する化学種が凝縮できる用途では、システム（例えば、サンプル・ライン）にヒータを内蔵して、サンプル・ラインを具体的な温度まで加熱してもよい。
【０１１３】
サンプル気体捕収器の例には、コンテナ、キャニスタ、あるいは気体サンプル流入ポートの中まで気体を通過させる流出ポートを内蔵する真空系製品が含まれる。気体捕収器は、ガスが発見された環境においてこのガスを収集し、後の分析のためにこのガスを蓄積することができ、この場合、捕収器は比較的ガス不浸透性である。実施形態によっては、気体捕収器は流出ポートを含むこともあり、この流出ポートは、リアル・タイムの検出および／または監視のために、サンプル気体流入ポートの中およびドリフト・チェンバの中まで繋がっている。
【０１１４】
以下に記載する質量分光分析システムおよび方法の種々の応用は、本発明の範囲および主旨に該当するものとする。記載した質量分光分析技法の応用カテゴリの１つでは、環境空気を含む空気における揮発性有機化合物の微量レベルの濃度の測定を伴う。環境空気は、閉鎖空間または非封鎖空間からサンプリングすることができる（例えば、気体サンプル流入ポートを環境空気の近傍に位置付けることによって）。
【０１１５】
揮発性有機化合物は、都市内および町中において、および／または工業現場の近傍において、車両の排気ガスまたは汚染物の検出のために、都市区域において監視することができる。これらを人間に起因するＶＯＣと呼ぶこともある。例えば、工業現場は、化学工場、廃棄物焼却プラント、鉄鋼および／またはセメント生産向上を含む可能性がある。工業設備は、ダイオキシン代用物（およびダイオキシン系化合物）、フラン（およびフラン系化合物）、クロロフェノール、ナフタレン、ベンゼン、トルエン、エチレン、キシエチレン(xyethylene)（纏めて、ＢＴＥＸ）種のような、ＶＯＣを排出する可能性がある。更に、ＶＯＣ発案権(initiative)または非メタン有機化合物発案権のような特定のプログラムに応答して、米国における環境保護庁または他の国における環境省（ＭｆＥ）のような、規制監督官庁によってＶＯＣまたは都市の有害空気汚染物が特定されている。
【０１１６】
実施形態によっては、廃棄物焼却プラントまたは煙突の付近に気体サンプル流入ポートを位置付けることは、排出を減少させるためのリアル・タイムの監視および調節（例えば、リアル・タイムのフィードバック）に有用である。また、このようなリアル・タイムの監視は、先に述べた洗浄機の効率を確認するため、そして燃焼プロセスを最適化するためにも有用である。
【０１１７】
実施形態によっては、閉鎖空間における空気内のＶＯＣ含有量を監視するために、気体サンプル流入ポートを、その閉鎖空間内に位置付けることもある。閉鎖空間の例には、建造物内部、車両内部、および航空機の客室内部が含まれる。ガスは、作業空間位置（例えば、半導体製造設備におけるクリーン・ルームまたは鋳造工場）からサンプリングして、環境規制（例えば、労働安全衛生規制）に対する遵守を確認することができる。また、気体サンプル流入ポートは、周囲空気の制御のため、「シック・ビルディング」シンドロームを調査するため、建造物の漏洩を含む建造物材料の劣化を検出するため、そして建造物内部における消費者製品(consumer product)（例えば、塗装膜や材料によって放出される煙霧）を検査するために、建造物における空気処理および濾過システムのリアル・タイム監視および検出のために用いることができる。
【０１１８】
本明細書において記載した質量分光分析は、森林および／または植物によって、例えば、都市以外、田園、または遠隔地において放出されるＶＯＣを監視および検出するために用いることができる。通例、この種のＶＯＣは「生物源」ＶＯＣとして知られている。実施形態によっては、ガスは、土壌サンプルを収容するベッセルの頭隙からサンプリングする（例えば、汚染現場から取ったまたはその周囲から取った土壌サンプルにおけるＶＯＣを検査するため）。質量分光分析技法は、埋め立てごみ処理現場、畜産地帯（集中動物飼育経営を含む）、および／または給水組織によって放出されるガスを監視、検出、および分析するために用いることができる。
【０１１９】
非密閉空間では、気体サンプル流入ポートは、自動車または航空機のエンジン排気管よりも下流に位置付けて、このような排気ガスまたは、硫化水素（Ｈ２Ｓ）を含むその他の対象ガスのＶＯＣ含有量を監視および／または定量化することができる。また、本明細書において記載した技法は、大気の気体を取り込むように気体サンプル流入ポートを位置付けることによって、大気の化学的性質(atmospheric chemistry)および／または大気組成の研究においても応用することができる。このような気体を分析して、光酸化プロセスおよび／または同重核化合物を含む可能性がある二次有機煙霧質の形成に至るその他のメカニズムを研究し評価する。
【０１２０】
また、本明細書において記載した技法は、食品および飲料工業にも応用することができる。例えば、食品または飲料製品の上にある頭隙は気体を含有しており、質量分光分析を用いてこの気体を分析することができる。頭隙は、閉鎖空間（例えば、封止したコンテナの内部）または非閉鎖空間でも可能である。
【０１２１】
食品および飲料用途の例では、例えば、コーヒー、オリーブ油、日常製品、肉製品（家禽および豚肉を含む）、魚貝製品、ハーブおよびスパイス、ビール、ワイン、ならびにその他のアルコール飲料のような、種々の食料品において、風味(flavor)および／または香り(aroma)を監視、識別、および類別することが含まれる。気体の中にあるフレーバーは、異なるフレーバーに寄与するＶＯＣ成分に基づいて判断および／または識別することができる。化学イオン化反応および／または陽子移動反応質量分光分析は、例えば、食品におけるバクテリアの活動の結果として生成されるＶＯＣの分析によって、食品の損傷および／または腐敗を監視するために用いることができる。本明細書における質量分光分析は、食品（例えば、食パン）の新鮮さを判定するため、そして品質保証および品質制御に備えるため、更には製品の安定性および保存寿命を判断するのに役立つことができる。質量分光分析技法は、混合、配合、焼く、および調理を含む、食品製品のプロセスの監視において用いて、特定の食品分量が流通または消費に適していないかどうか判断することができる。
【０１２２】
食品および飲料工業において、質量分光分析は、食品包装からの食品における汚染を検出するために用いることができる（例えば、溶剤の残留、またはプラスチック食品包装からの汚染物）。本明細書における質量分光分析技法は、水溶性および脂溶性酸化防止剤および／または種々の食品において用いられるその他の食品添加物を検査する際にも応用することができる。
【０１２３】
また、化学イオン化反応および／または陽子移動反応質量分光分析は、医療および健康管理分野において、診断または予知用計器として応用することができる。例えば、気体サンプル流入ポートは、人間の口の近くに位置付けると、人間の呼吸を収集して質量分光分析システムに供給することができる。呼吸におけるＶＯＣは、被験者における特定の疾病または身体状態の存在を示すことができる。ＶＯＣを伴う呼吸分析の応用には、様々な例が存在する。例えば、呼吸を分析すると、様々な種類の癌を検査することができ、例えば、特定のアルカンまたはベンゼン誘導体を検出することによって肺癌を見つけることができる。また、呼吸は、結核、糖尿病、カビ感染(fungal infection)（例えば、骨髄患者において）、精神分裂病、および／または双極性障害のようなその他の状態について、患者の呼吸におけるＶＯＣ種およびその分量に基づいて分析することができる。
【０１２４】
また、本明細書において記載した質量分光分析は、腎臓またはその他の腎臓機能を監視するためにも用いることができる。嚢胞性線維症を患う人間の呼吸には、バクテリア感染がある場合に、特定のＶＯＣを含み、この感染を診断することができる。実施形態によっては、人間の呼吸が臓器移植拒絶を示す特定のＶＯＣを含むこともある。また、人間の呼吸は、極微量の濃度で、能力増強剤を含む可能性もあり、記載した分光分析によってこれを検出することができる。呼吸分析およびＶＯＣの検出は、競技者や患者のための食事および訓練養生法を個別に作成するために用いることもできる。本明細書において記載した質量分光計を用いた人間の呼吸のＶＯＣ分析によって、新陳代謝機能の評価および監視、ならびに甲状腺問題の診断が可能になる。
【０１２５】
化学イオン化反応および／または陽子移動反応質量分光分析は、安全保障、生物安全保障(bio-security)、法科学、および犯罪調査の分野において応用することができる。例えば、本明細書に記載したシステムおよび方法は、爆発物、化学戦闘兵器用薬品（ＣＷＡ：Chemical Warfare Agent）および／または戦場ガス、燃焼加速剤（放火の調査において）、ならびに埋蔵体の位置を監視および検出するために用いることができる。更に、気体サンプル流入ポートは、人間の呼吸を収集してＣＷＡまたは戦場ガスに対する露出がないか検査するように位置付けることができる。質量分光分析は、異なる体液（例えば、犯罪場面において収集される証拠）の特徴を示す特定のＶＯＣを検出し分析するために用いることができる。また、本明細書において記載した概念は、麻薬および／または薬物悪用の呼吸分析による検査(screening)および検出にも応用することができ、または気体サンプル流入ポートを、薬剤を貯蔵する疑いがあるコンテナに結合することによって、検査および検出にも応用することができる。更に一般的には、気体サンプル流入ポートを出荷コンテナまたはパッケージに結合すれば、生物安全保障の脅威（例えば、炭疸または胞子）を有する素材または物質の特徴を示すＶＯＣを検出することができる。
【０１２６】
また、記載した技法は、農産物を監視して、ＶＯＣの存在によって証拠付けられる、農害虫および病原菌汚染を検出することもできる。例えば、気体サンプル流入ポートを穀類の近くに位置付ければ、その穀類における菌性毒素（マイコトクシン）の存在を検出することができる。また、化学イオン化反応および／または陽子移動反応質量分光分析は、収穫後農産物（例えば、食品および飲料生産会社に流通させる前）カビまたは昆虫を検出するために用いることができる。
【０１２７】
また、化学イオン化反応および／または陽子移動反応質量分光分析の用途は、例えば、製品開発段階における製品の分析および検査のように、美容化粧品、洗面用化粧品、および消費者薬品工業にも存在する。また、質量分光分析は、流通前にあらゆる異常または欠陥製品を検出するためにも、生産プロセスの間に採用することもできる。
【０１２８】
美容化粧品、洗面化粧品、および消費者薬品工業からの用途の例には、特定の芳香（例えば、香水、口臭防止剤、および消臭剤）に寄与するＶＯＣ成分の特定に基づく、芳香の研究および開発が含まれる。本明細書に記載した概念は、洗面化粧品および消費者製品の開発および検査にも応用することができる（例えば、検査または研究室環境においての使用中におけるＶＯＣ含有量を監視し、ＶＯＣレベルを検出する）。このような製品には、うがい薬、歯磨き粉、石鹸、殺菌軟膏およびクリーム、消臭剤、および口臭防止剤が含まれる。口腔衛生製品も、呼吸分析を用いて、分析および監視することができる。食品および飲料工業と同様、化学イオン化反応および／または陽子移動反応質量分光分析は、美容化粧品、洗面化粧品、および消費者薬品製品についての、製品の安定性および／または貯蔵寿命の査定(assessment)を含む、総合的品質制御および／または品質保証プログラムに用いることができる。
【０１２９】
化学イオン化反応および／または陽子移動反応質量分光分析には、更に別の用途も存在する。例えば、記載した概念は、生物薬品産業におけるプロセス監視および制御、例えば、発酵プロセス中に生成されるＶＯＣを監視し識別するために用いることができる。ある規制当局（例えば、ＡＳＴＭ  International）が、生物薬品製品製造の品質、安全性、および効率を向上させるための目標を公表している。製造プロセスの間オンライン分析のためにサンプルを収集するように気体サンプル流入ポートを位置付けることによって、これらの規制の目標を更に可能にする。
【０１３０】
実施形態によっては、質量分光分析は、植物の葉の損傷および防衛メカニズムに付随する極微量濃度のＶＯＣを検出するために、生物研究の目的に用いることができる。実施形態によっては、気体サンプル流入ポートは、ガス供給部、例えば、炭化水素地質(hydrocarbon plume)からサンプルを収集するように位置付けられる。ガス供給部のＶＯＣ含有量は、前述した方法にしたがって判定される。炭化水素地質は、石油および／またはガスの埋蔵を示す可能性があり、本明細書における質量分光分析技法は、石油探査において用いることができる。また、化学イオン化反応および／または陽子移動反応質量分光分析は、自動車産業において、触媒性能の分析および最適化に用いることができる。このような用途では、気体サンプル流入ポートは、例えば、比較の目的のために、触媒前および触媒後のガス種を収集するように位置付けられる。他の用途も当業者には明白であり、本発明の範囲および主旨に該当するものとする。
【０１３１】
実施形態によっては、本発明の原理を組み込んだ分光計は、電子嗅覚システム(electronic nose system)の構成機器として用いられる。実施形態によっては、電子嗅覚システムは、分光計が出力する信号を解析するために解析モジュールを含むこともある。電子嗅覚システムは、複数の成分を含む蒸気および気体を分析するために用いることができ、固体または液体物質の上にある頭隙の中にある蒸気および気体も含む。解析モジュールは、分光計が出力する信号を解析し、サンプルにおける特定の成分を識別することができる。更に、解析モジュールは、存在する化学種の包括的指紋(fingerprint)解析を行い、以前に格納した情報の中にある別の物質からの指紋と比較する。
【０１３２】
実施形態によっては、解析モジュールがコンピュータ・プロセッサを含むこともあり、このコンピュータ・プロセッサが、例えば、多変量解析アルゴリズム、パターン認識アルゴリズム、またはニューラル・ネットワーク・アルゴリズムを実装する。これらのアルゴリズムは、特に、多数のサンプル・パラメータ（例えば、ある種の臭気および香味の特徴を示す多くのＶＯＣ成分のピーク）を処理して、サンプルを特徴付け、比較するには有用である。例えば、多変量解析技法は、１つよりも多い統計変数の観察および解析に有用であり、複雑な指紋からのデータを減少させて、単純な比較を行うことを可能にする。この手法を用いると、同様の香味や臭気を纏めることができ、異常値を特定し強調することができる。
【０１３３】
電子嗅覚システムは、多数の成分（例えば、複数の異なるＶＯＣ種）で構成されることが多い、食品および飲料が放出するＶＯＣの包括的指紋を解析する際に用いられている。例えば、臭気は分子で構成されており、その各々が特定のサイズおよび形状を有する。分子の各々は、人間の鼻において、対応するサイズおよび形状の受容体を有する。分光計は、臭気サンプル内における多くの異なる分子を一意に見分けるために用いることができる。電子嗅覚システムの更に別の用途には、医療診断のための疾病に特定的な臭気の検出、および環境保護のための汚染物およびガス漏れの検出が含まれる。実施形態によっては、電子吸気システムは、追加のセンサ（例えば、金属酸化物半導体（ＭＯＳ）、導電性ポリマ（ＣＰ）、クオーツ・クリスタル・マイクロバランスおよび電界効果トランジスタ（ＭＯＳＦＥＴ）センサを含む、1つ又は複数のガス・センサ）を含むこともある。センサは信号を出力し、解析モジュールがこの信号を解析する。
【０１３４】
以上、具体的な実施形態を参照しながら本発明について特定的に示し説明したが、添付した特許請求の範囲によって定められる発明の主旨および範囲から逸脱することなく、形態および詳細において種々の変更を行うことができることは、当業者には言うまでもないことであろう。
【図１】
2011511929.tif 000004
【図２】
2011511929.tif 000005
【図３】
2011511929.tif 000006
【図４】
2011511929.tif 000007
【図５】
2011511929.tif 000008
【図６】
2011511929.tif 000009
【図７】
2011511929.tif 000010
【国際調査報告】
2011511929.tif 000011
2011511929.tif 000012
2011511929.tif 000013